(57)【要約】【課題】半導体光増幅器のパターン効果の影響を軽減して監視制御信号の信号品質の劣化を抑制する。【解決手段】監視制御信号を生成して出力する監視制御部と、外部から供給される主信号に前記監視制御信号を重畳して電気的な駆動信号を生成し、生成した前記駆動信号を出力する監視制御信号重畳部と、レーザと、光変調器と、半導体光増幅器とを有し、レーザが出力する光信号を、駆動信号に基づいて光変調器が変調し、光変調器が変調した光信号を、半導体光増幅器が増幅して出力する光送信部と、光送信部が出力する光信号の信号品質に基づいて、監視制御信号の信号品質の劣化度合いを判定する判定部と、判定部から判定結果に応じて、レーザ、もしくは、光変調器、もしくは、半導体光増幅器に与える電力に関する値、または、主信号と監視制御信号との重畳比率を選択する設定情報選択部と、を備える光伝送装置。【選択図】図１
2019009656.tif 000002
【特許請求の範囲】
【請求項１】
監視制御信号を生成して出力する監視制御部と、
外部から供給される主信号に前記監視制御信号を重畳して電気的な駆動信号を生成し、生成した前記駆動信号を出力する監視制御信号重畳部と、
レーザと、光変調器と、半導体光増幅器とを有し、前記レーザが出力する光信号を、前記駆動信号に基づいて前記光変調器が変調し、前記光変調器が変調した前記光信号を、前記半導体光増幅器が増幅して出力する光送信部と、
前記光送信部が出力する前記光信号の信号品質に基づいて、前記監視制御信号の信号品質の劣化度合いを判定する判定部と、
前記判定部の判定結果に応じた指示情報にしたがって、前記レーザ、もしくは、前記光変調器、もしくは、前記半導体光増幅器に与える電力に関する値、または、前記主信号と前記監視制御信号との重畳比率を選択する設定情報選択部と、
を備える光伝送装置。
【請求項２】
前記判定部は、
前記光送信部が出力する前記光信号に含まれる前記監視制御信号のビット誤り率を測定し、前記ビット誤り率を前記信号品質とし、前記ビット誤り率を最小にする、または、予め定められる閾値を基準として当該基準を満たす前記ビット誤り率にする前記電力に関する値、または前記重畳比率を選択させる前記指示情報を出力する、請求項１に記載の光伝送装置。
【請求項３】
前記判定部は、
前記光送信部が出力する前記光信号に含まれる前記主信号のビット誤り率を測定し、前記ビット誤り率を前記信号品質とし、前記ビット誤り率を最小にする前記電力に関する値、または前記重畳比率を選択させる前記指示情報を出力する、請求項１又は２に記載の光伝送装置。
【請求項４】
前記判定部は、
前記光送信部が出力する前記光信号の光強度値を算出し、前記光強度値を前記信号品質とし、前記光信号の光強度値を、前記半導体光増幅器の飽和光出力を上回らない範囲の光強度とする、または、前記半導体光増幅器の飽和光出力を上回らない範囲で最大の光強度とする前記電力に関する値、または前記重畳比率を選択させる前記指示情報を出力する、請求項１から３のいずれか一項に記載の光伝送装置。
【請求項５】
前記判定部は、
前記光送信部が出力する前記光信号よりアイパターンを検出し、前記アイパターンを前記信号品質とし、前記アイパターンと、予め定められるマスクパターンとに基づいてマスクテストを行い、前記アイパターンが前記マスクパターンに抵触しない前記電力に関する値、または前記重畳比率を選択させる前記指示情報を出力する、請求項１から４のいずれか一項に記載の光伝送装置。
【請求項６】
調整側の光伝送装置と、対向側の光伝送装置と、前記光伝送装置間を接続する光伝送路とを備える光伝送システムであって、
前記対向側の光伝送装置は、
前記光伝送路を介して前記調整側の光伝送装置から受信する光信号の信号品質に基づいて、前記光信号に含まれる監視制御信号の信号品質の劣化度合いを判定し、判定結果に応じた指示情報を出力する判定部と、
前記判定部が出力する指示情報を前記調整側の光伝送装置に送信する送信部とを備え、
前記調整側の光伝送装置は、
前記監視制御信号を生成して出力する監視制御部と、
外部から供給される主信号に前記監視制御信号を重畳して電気的な駆動信号を生成し、生成した前記駆動信号を出力する監視制御信号重畳部と、
レーザと、光変調器と、半導体光増幅器とを有し、前記レーザが出力する光信号を、前記駆動信号に基づいて前記光変調器が変調し、前記光変調器が変調した前記光信号を、前記半導体光増幅器が増幅して前記光伝送路を介して前記対向側の光伝送装置に送信する光送信部と、
前記対向側の光伝送装置から前記指示情報を受信する受信部と、
前記受信部が受信する前記指示情報にしたがって、前記レーザ、もしくは、前記光変調器、もしくは、前記半導体光増幅器に与える電力に関する値、または、前記主信号と前記監視制御信号との重畳比率を選択する設定情報選択部と、
を備える光伝送システム。
【発明の詳細な説明】
【技術分野】
【０００１】
本発明は、光伝送装置、及び光伝送システムに関する。
【背景技術】
【０００２】
現在、急速に普及が進んでいるＦＴＴＨ（Fiber to the home）サービスにおいて、当該サービスを支える光アクセスシステムとして、主に、ＰＯＮ（Passive Optical Network）システムが導入されている。また、将来の更なる高速化、高度化を目指した次世代の光アクセスシステムとして、ＷＤＭ（Wavelength division multiplexing）−ＰＯＮやＷＤＭ／ＴＤＭ（Time division multiplexing）−ＰＯＮシステムが検討されている（例えば、非特許文献１参照）。
【０００３】
現行のＦＴＴＨで適用されている１Ｇ−ＥＰＯＮ（Gigabit-Ethernet Passive Optical Network）に対して、ＷＤＭ−ＰＯＮやＷＤＭ／ＴＤＭ−ＰＯＮシステムでは、多分岐化によるＦＴＴＨの効率的なユーザ収容を行うこと、長距離化によるエリア拡大を行うことを目標に定めている。そのため、更なる伝送距離の拡張、分岐数の増加を図ることが仕様として策定されており、光アクセスシステムのロスバジェットを拡大して改善することが望まれている。
【０００４】
光アクセスシステムのロスバジェットを拡大する手法として、光強度を高出力化する光増幅器を利用する手法が挙げられる。光増幅器には、大別すると、希土類添加光ファイバ増幅器と、半導体光増幅器（以下「ＳＯＡ」（Semiconductor optical amplifier）という。）の２種類が存在する。
【０００５】
ＳＯＡは、希土類添加光ファイバ増幅器に比べて、小型化・経済化を期待することができるという利点を有しており、近年では、ＳＯＡが集積化された光トランシーバの報告もなされている（例えば、非特許文献２参照）。また、ＷＤＭ−ＰＯＮやＷＤＭ／ＴＤＭ−ＰＯＮのような波長を多重化するＰＯＮシステムでは、カラーレス化や動的波長帯域切換技術の導入による柔軟なネットワークを実現するために、ある特定の頻度で波長を切り替える使用形態が想定されている。
【０００６】
波長の切り替えを実行する際、加入者線端局装置（以下「ＯＬＴ」（Optical Line Terminal)という。）は、加入者線終端装置（以下「ＯＮＵ」（Optical Network Unit）という。）に対して波長切替指示情報を送信して波長の切り替えを行う。波長切替指示情報を送信する方式として、Ｅｔｈｅｒｎｅｔ（登録商標）  ＯＡＭ（Operation administration and management）等の主信号フレームの余剰領域に制御信号を埋め込む方式と、主信号とは別に物理的な監視制御チャネルを設ける方式とがある。
【０００７】
後者の方式として、例えば、主信号の信号成分に対して低周波の領域に、監視制御信号の重畳を行うことにより物理的な監視制御チャネルを設ける手法がある。この手法では、主信号フレームの構造に依存しない監視制御が可能になるという利点があり、近年、盛んに検討されている（例えば、非特許文献３参照）。
【先行技術文献】
【非特許文献】
【０００８】
【非特許文献１】ITU-T G.989.2 “40-Gigabit-capable passive optical networks 2(NG-PON2): Physical media dependent (PMD)layer specification”, December 2014.
【非特許文献２】Hideyuki Iwamura, Masahiro Sarashina, Hiroyuki Saito, Hideaki Tamai, Shuko Kobayashi, Naoki Minato, Masayuki Kashima, “Demonstration of WDM/TDM-PON Prototype Transceiver Employing SOA to Suppress Beat Noise”, P.6.1, September. 2013.
【非特許文献３】Kazuaki Honda, Takayuki Kobayashi, Member, IEEE, Susumu Nishihara, Tatsuya Shimada, Jun Terada, and Akihiro Otaka, “Experimental Analysis of LTE Signals in WDM-PON Managed by Embedded Pilot Tone”, IEEE PHOTONICS TECHNOLOGY LETTERS, VOL. 29, NO. 5, MARCH 1, 2017.
【非特許文献４】K. Inoue, “Waveform distortion in a gain-saturated semiconductor optical amplifier for NRZ and Manchester formats”, IEEE Proceedings - Optoelectronics, Volume:144, Issue:6, pp. 433-437, December 1997.
【非特許文献５】Katsuhisa Taguchi, Masamichi Fujiwara, Takeshi Imai, Ken-Ichi Suzuki, Hiroshi Ishii, and Naoto Yoshimoto, “Pattern Effect Suppression Technique of Synchronized Gain-Clamping Light Injection for Downstream SOA in Optically-Amplified PON Systems”, Optical Fiber Communication Conference and Exposition (OFC/NFOEC), 2012 and the National Fiber Optic Engineers Conference, March 2012.
【発明の概要】
【発明が解決しようとする課題】
【０００９】
前述の通り、ＷＤＭ−ＰＯＮやＷＤＭ／ＴＤＭ−ＰＯＮに代表される次世代ＰＯＮシステムを実現する上では、システムのロスバジェットを拡大するために、ＳＯＡが集積化された光トランシーバを利用し、波長切換技術として監視制御信号を主信号に重畳する手法が有望である。
【００１０】
しかしながら、高出力光信号を得るためにＳＯＡの利得飽和が生じる領域で光信号を増幅すると、非特許文献４に示されるようにパターン効果が発生するという問題がある。ここで、パターン効果とは、ＳＯＡにステップ的な変化をする光信号が与えられた際に、伝導帯の電子（キャリア）密度が非線型な時間応答をすることによって生じる現象である。
【００１１】
この問題を解決するため、例えば、非特許文献５に記載の技術では、パターン効果を抑制することに関する検討が示されているが、主信号の信号品質の劣化のみを抑制することに着目しており、監視制御信号の信号品質の劣化を抑制することについては開示していない。
【００１２】
上記事情に鑑み、本発明は、半導体光増幅器のパターン効果の影響を軽減して監視制御信号の信号品質の劣化を抑制することができる技術の提供を目的としている。
【課題を解決するための手段】
【００１３】
本発明の一態様は、監視制御信号を生成して出力する監視制御部と、外部から供給される主信号に前記監視制御信号を重畳して電気的な駆動信号を生成し、生成した前記駆動信号を出力する監視制御信号重畳部と、レーザと、光変調器と、半導体光増幅器とを有し、前記レーザが出力する光信号を、前記駆動信号に基づいて前記光変調器が変調し、前記光変調器が変調した前記光信号を、前記半導体光増幅器が増幅して出力する光送信部と、前記光送信部が出力する前記光信号の信号品質に基づいて、前記監視制御信号の信号品質の劣化度合いを判定する判定部と、前記判定部の判定結果に応じた指示情報にしたがって、前記レーザ、もしくは、前記光変調器、もしくは、前記半導体光増幅器に与える電力に関する値、または、前記主信号と前記監視制御信号との重畳比率を選択する設定情報選択部と、を備える光伝送装置である。
【００１４】
本発明の一態様は、上記の光伝送装置であって、前記判定部は、前記光送信部が出力する前記光信号に含まれる前記監視制御信号のビット誤り率を測定し、前記ビット誤り率を前記信号品質とし、前記ビット誤り率を最小にする、または、予め定められる閾値を基準として当該基準を満たす前記ビット誤り率にする前記電力に関する値、または前記重畳比率を選択させる前記指示情報を出力する。
【００１５】
本発明の一態様は、上記の光伝送装置であって、前記判定部は、前記光送信部が出力する前記光信号に含まれる前記主信号のビット誤り率を測定し、前記ビット誤り率を前記信号品質とし、前記ビット誤り率を最小にする前記電力に関する値、または前記重畳比率を選択させる前記指示情報を出力する。
【００１６】
本発明の一態様は、上記の光伝送装置であって、前記判定部は、前記光送信部が出力する前記光信号の光強度値を算出し、前記光強度値を前記信号品質とし、前記光信号の光強度値を、前記半導体光増幅器の飽和光出力を上回らない範囲の光強度とする、または、前記半導体光増幅器の飽和光出力を上回らない範囲で最大の光強度とする前記電力に関する値、または前記重畳比率を選択させる前記指示情報を出力する。
【００１７】
本発明の一態様は、上記の光伝送装置であって、前記判定部は、前記光送信部が出力する前記光信号よりアイパターンを検出し、前記アイパターンを前記信号品質とし、前記アイパターンと、予め定められるマスクパターンとに基づいてマスクテストを行い、前記アイパターンが前記マスクパターンに抵触しない前記電力に関する値、または前記重畳比率を選択させる前記指示情報を出力する。
【００１８】
本発明の一態様は、調整側の光伝送装置と、対向側の光伝送装置と、前記光伝送装置間を接続する光伝送路とを備える光伝送システムであって、前記対向側の光伝送装置は、前記光伝送路を介して前記調整側の光伝送装置から受信する光信号の信号品質に基づいて、前記光信号に含まれる監視制御信号の信号品質の劣化度合いを判定し、判定結果に応じた指示情報を出力する判定部と、前記判定部が出力する指示情報を前記調整側の光伝送装置に送信する送信部とを備え、前記調整側の光伝送装置は、前記監視制御信号を生成して出力する監視制御部と、外部から供給される主信号に前記監視制御信号を重畳して電気的な駆動信号を生成し、生成した前記駆動信号を出力する監視制御信号重畳部と、レーザと、光変調器と、半導体光増幅器とを有し、前記レーザが出力する光信号を、前記駆動信号に基づいて前記光変調器が変調し、前記光変調器が変調した前記光信号を、前記半導体光増幅器が増幅して前記光伝送路を介して前記対向側の光伝送装置に送信する光送信部と、前記対向側の光伝送装置から前記指示情報を受信する受信部と、前記受信部が受信する前記指示情報にしたがって、前記レーザ、もしくは、前記光変調器、もしくは、前記半導体光増幅器に与える電力に関する値、または、前記主信号と前記監視制御信号との重畳比率を選択する設定情報選択部と、を備える光伝送システムである。
【発明の効果】
【００１９】
本発明により、半導体光増幅器のパターン効果の影響を軽減して監視制御信号の信号品質の劣化を抑制することが可能となる。
【図面の簡単な説明】
【００２０】
【図１】第１の実施形態における光伝送装置の構成を示すブロック図である。
【図２】同実施形態の光送信部の構成を示すブロック図である。
【図３】同実施形態において物理パラメータが取り得る範囲を示す図である。
【図４】同実施形態のモニタ用光受信部の構成を示すブロック図である。
【図５】同実施形態の判定部（その１）の構成を示すブロック図である。
【図６】同実施形態の設定情報テーブルの構成を示す図である。
【図７】同実施形態の物理パラメータの調整処理のフローチャート（その１）である。
【図８】監視制御信号の品質の改善度合いを示すグラフである。
【図９】同実施形態の判定部（その２）の構成を示すブロック図である。
【図１０】同実施形態の物理パラメータの調整処理のフローチャート（その２）である。
【図１１】第２の実施形態における光伝送装置の構成を示すブロック図である。
【図１２】同実施形態の判定部の構成を示すブロック図である。
【図１３】同実施形態の物理パラメータの調整処理のフローチャートである。
【図１４】第３実施形態における光伝送装置の判定部（その１）の構成を示すブロック図である。
【図１５】同実施形態の物理パラメータの調整処理のフローチャート（その１）である。
【図１６】同実施形態の判定部（その２）の構成を示すブロック図である。
【図１７】同実施形態の物理パラメータの調整処理のフローチャート（その２）である。
【図１８】第４実施形態における光伝送装置の判定部の構成を示すブロック図である。
【図１９】同実施形態の物理パラメータの調整処理のフローチャートである。
【図２０】第５実施形態における光伝送システムの構成を示すブロック図である。
【図２１】同実施形態の監視制御信号処理部の構成を示すブロック図である。
【図２２】同実施形態の対向側の光伝送装置の構成を示すブロック図である。
【図２３】同実施形態の物理パラメータの調整処理のフローチャート（その１）である。
【図２４】同実施形態の物理パラメータの調整処理のフローチャート（その２）である。
【図２５】同実施形態の調整側の光伝送装置に第２の実施形態の構成を適用した構成を示すブロック図である。
【図２６】同実施形態の調整側の光伝送装置に第２の実施形態の構成を適用した際の監視制御信号処理部の構成を示すブロック図である。
【図２７】同実施形態の対向側の光伝送装置に第２の実施形態の構成を適用した構成を示すブロック図である。
【図２８】同実施形態の対向側の光伝送装置に第３実施形態の構成を適用した構成を示すブロック図である。
【図２９】同実施形態の対向側の光伝送装置に第４実施形態の構成を適用した構成を示すブロック図である。
【発明を実施するための形態】
【００２１】
（第１の実施形態）
以下、本発明の実施形態について図面を参照して説明する。図１は、第１の実施形態における光伝送装置１の構成を示すブロック図である。光伝送装置１は、監視制御部１０、監視制御信号重畳部１１、光送信部１２、モニタ用光受信部１３、判定部１４、設定情報記憶部１５、設定情報選択部１６、及び光カプラ３０を備える。光伝送装置１は、例えば、ＷＤＭ−ＰＯＮやＷＤＭ／ＴＤＭ−ＰＯＮにおけるＯＬＴ、またはＯＮＵに備えられる装置であり、光送信部１２に接続される光ファイバ３１を介して他の光伝送装置と接続され、光ファイバ３１を介して対向する他の光伝送装置との間で光信号の送受信を行う。
【００２２】
監視制御部１０は、例えば、下記の参考文献で規定される監視制御機能を行う機能部である。当該監視制御機能において、例えば、監視制御部１０は、監視制御情報を用いて、光ファイバ３１を介して接続する他の光伝送装置との間で使用する波長を示す情報の送受信を行って波長の切り替えを行う。また、監視制御部１０は、当該監視制御情報を用いて、当該他の光伝送装置が動作しているか否かを監視する死活監視等に関する情報の送受信を行う。
【００２３】
（［参考文献］ITU-T G.989.3 “40-Gigabit-capable passive optical networks (NG-PON2): Transmission convergence layer specification”, October 2015.）
【００２４】
監視制御部１０は、監視制御情報を含む監視制御信号を生成して監視制御信号重畳部１１に出力する。監視制御部１０が生成する監視制御信号は、外部から供給される主信号に対して低周波数の信号であり、例えば、５００ｋＨｚの搬送波であって変調方式がＡＳＫ(Amplitude-Shift Keying)の信号である。また、監視制御部１０は、監視制御信号を出力する際、設定情報選択部１６が選択した物理パラメータに応じた出力パワーの監視制御信号を出力する。
【００２５】
監視制御信号重畳部１１は、例えば、パワーコンバイナであり、監視制御部１０が出力する監視制御信号と、外部から供給される主信号とを物理的、すなわち電気的に重畳して駆動信号を生成する。ここで、主信号とは、送信情報を含む信号であり、イーサネット（登録商標）等のパケット信号、またはＣＰＲＩ（Common Public Radio Interface）などの連続信号である。また、主信号は、例えば、光伝送装置１に接続されるＬＤ（Laser Diode）−Ｄｒｉｖｅｒ回路によって与えられる電気信号である。
【００２６】
上述したように監視制御信号は、主信号に対して低周波数の信号であるため、監視制御信号重畳部１１が、２つの信号を重畳して得られる駆動信号では、低周波数帯域に監視制御信号が存在し、当該低周波数帯域よりも高い周波数帯域に主信号が存在することになる。ここで、駆動信号における監視制御信号と主信号の比率を示す重畳振幅値ＭＩ(Modulation-Index)を、次式（１）によって定義する。
【００２７】
ＭＩ［％］＝１００×（Ｖｐｐ，監視制御信号／Ｖｐｐ，主信号）・・・（１）
【００２８】
式（１）においてＶｐｐ，監視制御信号は、電気段における監視制御信号の電圧値のピークピーク値であり、Ｖｐｐ，主信号は、電気段における主信号の電圧値のピークピーク値である。一般的には、ＭＩ＝１０％程度の値が適用される。上述したＬＤ−Ｄｒｉｖｅｒ回路は、入力レンジに合わせて運用されるためＬＤ−Ｄｒｉｖｅｒ回路が生成する主信号のピークピーク値は、仕様で定められることになる。そのため、光伝送装置１の運用中は、Ｖｐｐ，主信号は、固定値となり、ＭＩの値を定めることにより、Ｖｐｐ，監視制御信号の値が決まることになる。
【００２９】
光送信部１２は、図２に示す内部構成を有しており、ＤＦＢ(Distributed Feedback)レーザ１２０、ＥＡ（Electro Absorption）光変調器１２１、半導体光増幅器１２２、及び電力供給部１２３を備える。電力供給部１２３は、電源に接続されており、設定情報選択部１６から受ける物理パラメータの値に応じた電力をＤＦＢレーザ１２０、ＥＡ光変調器１２１、半導体光増幅器１２２の各々に供給する。
【００３０】
ＤＦＢレーザ１２０は、電力供給部１２３から供給されるＤＦＢレーザバイアス電流値（以下「ＩＤＦＢ」という。）の電力により光信号を生成して出力する。ＥＡ光変調器１２１は、電力供給部１２３から供給されるＥＡ光変調器バイアス電圧値（以下「ＶＥＡ」という。）の電力により、監視制御信号重畳部１１が出力する駆動信号に基づいて、ＤＦＢレーザ１２０が出力する光信号を強度変調する。これにより、電気的な駆動信号が光信号に変換されることになる。
【００３１】
半導体光増幅器１２２は、光ファイバ３１に接続されており、電力供給部１２３から供給されるＳＯＡバイアス電流値（以下「ＩＳＯＡ」という。）の電力により、ＥＡ光変調器１２１によって変調された光信号を増幅して光ファイバ３１に出力する。これにより、光信号は、高出力化されて送信されることになる。
【００３２】
なお、ＩＤＦＢ、ＶＥＡ、ＩＳＯＡ、ＭＩの各々の物理パラメータが取り得る値の範囲は、例えば、図３に示す表によって示される範囲となる。
【００３３】
光カプラ３０は、光信号を分岐する光分岐器であり、例えば、光送信部１２が出力した光信号を９９：１の割合で分岐を行う。分岐された１％分の光信号は、光ファイバ３１−１を介してモニタ用光受信部１３に伝送され、残りの９９％分の光信号は、光ファイバ３１の他端に接続する他の光伝送装置に伝送される。
【００３４】
モニタ用光受信部１３は、図４に示す内部構成を有しており、フォトダイオード（以下「ＰＤ」(Photo Diode)という。）１３０、Ｉ／Ｖ（Intensity of electric current / Voltage）変換器１３１、及び電圧増幅器１３２を備える。ＰＤ１３０は、光ファイバ３１−１に接続されており、光カプラ３０が分岐した１％分の光信号を光ファイバ３１−１を介して受光し、受光した光信号のパワーに応じた電流値の電流信号を出力する。Ｉ／Ｖ変換器１３１は、電流信号を電圧信号に変換して出力する。電圧増幅器１３２は、Ｉ／Ｖ変換器１３１が出力する電圧信号を予め定められる一定の増幅率で増幅して出力する。
【００３５】
判定部１４は、図５に示す内部構成を有しており、アナログデジタル変換器（以下「ＡＤＣ」(Analog-to-Digital Converter)という。）１４０、演算部１４１、及びメモリ１４２を備える。ＡＤＣ１４０は、モニタ用光受信部１３が出力するアナログの電圧信号をサンプリングして０と１の２値のデジタル信号に変換して出力する。
【００３６】
演算部１４１は、ＡＤＣ１４０が出力するデジタル信号に対してデジタル信号処理を行い搬送波５００ｋＨｚのＡＳＫ信号の復調を行って監視制御信号を取得する。ここで、演算部１４１が行うデジタル信号処理には、ＡＤＣ１４０が出力するデジタル信号に対して周波数フィルタリングを行い、主信号と監視制御信号とを分離するフィルタ処理、分離した監視制御信号の周波数をダウンコンバートするダウンコンバート処理、０と１とを判定する判定タイミング抽出処理等が含まれる。
【００３７】
また、演算部１４１は、デジタル信号処理により得られる監視制御信号の信号品質の劣化度合いの判定を行う。具体的には、演算部１４１は、監視制御信号の信号品質として監視制御信号のビット誤り率（以下「ＢＥＲ」(Bit Error Rate)という。）を測定し、測定した結果に基づいて、監視制御信号の信号品質の劣化を抑制する設定情報を選択して物理パラメータの調整を行う。また、演算部１４１は、設定情報選択部１６に対して、演算部１４１が指定する設定情報を選択させる指示を示す選択指示情報を出力する。メモリ１４２は、記憶領域であり、演算部１４１によって測定されたＢＥＲの値を記憶する。
【００３８】
設定情報記憶部１５は、図６に示す設定情報テーブル１５０を予め記憶する。設定情報テーブル１５０は、「ＩＤＦＢ」、「ＶＥＡ」、「ＩＳＯＡ」、「ＭＩ」の項目を有しており、４つの物理パラメータの組み合わせからなる設定情報を予め記憶する。図６の例では、図３に示す各々の物理パラメータが取り得る値の範囲から、「ＩＤＦＢ」については、５０ｍＡ、１００ｍＡ、１５０ｍＡの３つの値のパターン、「ＶＥＡ」については、−０．１Ｖ、−０．３Ｖ、−０．５Ｖ、−０．７Ｖ、−１．０Ｖの５つの値のパターン、「ＩＳＯＡ」については、１００ｍＡ、２００ｍＡ、３００ｍＡの３つの値のパターン、ＭＩについては、５％、１０％、１５％、２０％の４つの値のパターンを選択し、これらを組み合わせた合計１８０個の設定情報が予め記憶されている。
【００３９】
設定情報テーブル１５０の右端の「＃」の列に含まれる値は、設定情報ごとに予め付与されるレコード値であり、以下の説明において、レコード値によって示す場合、単なる数値と区別できるように、＃１、＃２，・・・のように「＃」に数値を付して表す。また、いずれか１つの任意のレコード値を示す場合、＃ｉ，＃ｍ，＃Ｍのように変数ｉ，ｍ，Ｍ等を「＃」に付して表す。
【００４０】
設定情報選択部１６は、設定情報テーブル１５０を参照して判定部１４から受ける選択指示情報に含まれるレコード値に対応する設定情報を設定情報記憶部１５から読み出し、読み出した設定情報に含まれる物理パラメータの値を光送信部１２に出力する。また、設定情報選択部１６は、読み出した設定情報に含まれる「ＭＩ」の物理パラメータに基づいて、監視制御信号のピークピーク値であるＶｐｐ，監視制御信号の値を算出し、算出したＶｐｐ，監視制御信号の値を監視制御部１０に出力する。なお、設定情報選択部１６と、監視制御部１０及び光送信部１２との間の情報を送受信するインタフェースは、例えば、Ｉ２Ｃ(Inter-Integrated Circuit)の信号形式等が適用される。
【００４１】
（第１の実施形態における物理パラメータの調整処理）
図７は、光伝送装置１における物理パラメータの調整処理を示すフローチャートである。図７に示す処理では、監視制御信号の信号品質の劣化度合いを判定するため、監視制御部１０は、運用時に送信する監視制御情報ではなく、予め定められたテストパターンの監視制御情報を含む監視制御信号を生成して出力する。
【００４２】
判定部１４の演算部１４１は、設定情報の初期値を設定するため、変数「ｉ」に予め定められる初期値の「１」を代入して、レコード値「＃１」とし、「＃１」を含む選択指示情報を設定情報選択部１６に出力する。設定情報選択部１６は、選択指示情報を受けて、選択指示情報に含まれる「＃１」に対応する設定情報を設定情報記憶部１５から読み出す（ステップＳａ１）。設定情報選択部１６は、読み出した「＃１」の設定情報に含まれる「ＩＤＦＢ＝５０ｍＡ」、「ＶＥＡ＝−０．１Ｖ」、「ＩＳＯＡ＝１００ｍＡ」の物理パラメータの値を光送信部１２の電力供給部１２３に出力する。
【００４３】
設定情報選択部１６は、読み出した「＃１」の設定情報に含まれる「ＭＩ＝５」の物理パラメータと、既知の固定値である主信号のピークピーク値、すなわちＶｐｐ，主信号とに基づいて、式（１）により、監視制御信号のピークピーク値であるＶｐｐ，監視制御信号を算出する。設定情報選択部１６は、算出したＶｐｐ，監視制御信号を監視制御部１０に出力する（ステップＳａ２）。
【００４４】
光送信部１２の電力供給部１２３は、設定情報選択部１６が出力する物理パラメータの値を受けて、ＤＦＢレーザ１２０、ＥＡ光変調器１２１、半導体光増幅器１２２の各々に対して「ＩＤＦＢ＝５０ｍＡ」、「ＶＥＡ＝−０．１Ｖ」、「ＩＳＯＡ＝１００ｍＡ」の電力を供給する。監視制御部１０は、設定情報選択部１６が出力する物理パラメータのＶｐｐ，監視制御信号の値を受けて、テストパターンの監視制御情報を含み、ピークピーク値がＶｐｐ，監視制御信号の監視制御信号を生成して監視制御信号重畳部１１に出力する（ステップＳａ３）。
【００４５】
監視制御信号重畳部１１は、主信号と監視制御信号とを物理的に重畳して駆動信号を生成し、生成した駆動信号を光送信部１２に出力する。光送信部１２において、ＤＦＢレーザ１２０は、電力供給部１２３から供給される「ＩＤＦＢ＝５０ｍＡ」の電力により光信号を生成して出力する。ＥＡ光変調器１２１は、電力供給部１２３から供給される「ＶＥＡ＝−０．１Ｖ」の電力により、監視制御信号重畳部１１が出力する駆動信号に基づいて、ＤＦＢレーザ１２０が出力する光信号を強度変調する。半導体光増幅器１２２は、電力供給部１２３から供給される「ＩＳＯＡ＝１００ｍＡ」の電力により、ＥＡ光変調器１２１によって変調された光信号を増幅して光ファイバ３１に出力する。
【００４６】
光カプラ３０は、光送信部１２が出力する光信号を分岐比９９：１で分岐する。モニタ用光受信部１３のＰＤ１３０は、光カプラ３０が分岐した１％分の光信号を光ファイバ３１−１を介して受光する。ＰＤ１３０は、受光した光信号のパワーに応じた電流値の電流信号をＩ／Ｖ変換器１３１に出力する。Ｉ／Ｖ変換器１３１は、ＰＤ１３０が出力した電流信号を電圧信号に変換して出力する。電圧増幅器１３２は、Ｉ／Ｖ変換器１３１が出力した電圧信号を予め定められる一定の増幅率で増幅して出力する。
【００４７】
判定部１４のＡＤＣ１４０は、モニタ用光受信部１３の電圧増幅器１３２が出力するアナログの電圧信号をデジタル信号に変換して演算部１４１に出力する。演算部１４１は、ＡＤＣ１４０が出力するデジタル信号に対して上述したデジタル信号処理を行い、監視制御信号を復調する。演算部１４１は、監視制御信号の信号品質として、復調した監視制御信号のＢＥＲを測定する（ステップＳａ４）。
【００４８】
復調した監視制御信号は、予め定められる既知のテストパターンであるため、演算部１４１は、復調した監視制御信号と、既知のテストパターンとの差分からＢＥＲを算出して測定を行う。なお、ＢＥＲの測定は、実際に算出する手法以外に、ＢＥＲを直接算出するのではなく、演算部１４１が、テストパターンのマーク・スペース信号の分散値からＱ値を算出し、算出したＱ値に基づいてＢＥＲを推計してＢＥＲを測定するようにしてもよい。
【００４９】
演算部１４１は、測定したＢＥＲが、レコード値「＃１」の設定情報に対応することを示すため、ＢＥＲ１としてメモリ１４２に書き込んで記憶させる（ステップＳａ５）。演算部１４１は、変数「ｉ」に「１」を加えた、次のレコード値である「＃２」を含む選択指示情報を設定情報選択部１６に出力する。設定情報選択部１６は、選択指示情報に含まれる「＃２」に対応する設定情報を設定情報記憶部１５から読み出し（ステップＳａ１）、ステップＳａ２〜Ｓａ５の処理が行われる。このようにして、「＃１」〜「＃１８０」の１８０個全ての設定情報について、ステップＳａ１〜Ｓａ５の処理が繰り返し行われる（ループＬａ１ｓ〜Ｌａ１ｅ）。
【００５０】
演算部１４１は、１８０個全ての設定情報についてＢＥＲｉ（ｉ＝１〜１８０）を測定してメモリ１４２に書き込んで記憶させた後、メモリ１４２に記憶されている全てのＢＥＲｉの中から最も小さな値、すなわち最もビット誤り率が低いＢＥＲｍの「ｍ」の値を検出する。演算部１４１は、検出した「ｍ」に対応するレコード値である「＃ｍ」を含む選択指示情報を設定情報選択部１６に出力する。
【００５１】
設定情報選択部１６は、演算部１４１が出力する選択指示情報に含まれる「＃ｍ」のレコード値に対応する設定情報を設定情報記憶部１５から読み出す。設定情報選択部１６は、読み出した設定情報に含まれる「ＩＤＦＢ」、「ＶＥＡ」、「ＩＳＯＡ」の物理パラメータの値を光送信部１２に出力し、「ＭＩ」の物理パラメータから算出したＶｐｐ，監視制御信号の値を監視制御部１０に出力する。
【００５２】
監視制御部１０は、運用時に送信する監視制御情報を含む監視制御信号を、設定情報選択部１６が出力するＶｐｐ，監視制御信号で示されるピークピーク値となるように生成して出力する。光送信部１２は、設定情報選択部１６が出力する「ＩＤＦＢ」、「ＶＥＡ」、「ＩＳＯＡ」の電力に関する値で示される電力により、駆動信号を光信号に変換し、変換した光信号を増幅して光ファイバ３１に出力し、対向する他の光伝送装置との初期接続を開始する（ステップＳａ６）。これにより、通常の運用が開始され、光伝送装置１は、最も低いビット誤り率となる監視制御信号を含む光信号を光送信部１２より送信することができる。
【００５３】
図８は、半導体光増幅器１２２に供給するＳＯＡバイアス電流値［ＩＳＯＡ］と、監視制御信号の信号品質の関係を示すグラフである。縦軸は、監視制御信号の推計ＢＥＲを示すｌｏｇ（ＢＥＲ）の値であり、横軸は、受光パワーを［ｄＢｍ］の単位で示した値である。図８に示されるように、ＩＳＯＡを１００ｍＡから、２００ｍＡまたは３００ｍＡに変更することで、ＢＥＲが改善されていることが示されている。
【００５４】
（第１の実施形態における他の物理パラメータの調整処理）
図９は、第１の実施形態における他の物理パラメータの調整処理を行う判定部１４Ａの構成を示すブロック図である。判定部１４Ａは、第１の実施形態の光伝送装置１の判定部１４に置き換えて適用される構成であり、第１の実施形態の判定部１４が備えるＡＤＣ１４０と、演算部１４１Ａとを備える。なお、光伝送装置１において判定部１４を判定部１４Ａに置き換えた構成を、説明の便宜上、以下、光伝送装置１Ａという。
【００５５】
演算部１４１Ａは、演算部１４１と同様のデジタル信号処理を行って監視制御信号を取得する構成を有しているが、以下に示すように、取得した後の監視制御信号の信号品質の劣化度合いの判定する処理の手順が演算部１４１と異なる。
【００５６】
次に、図１０のフローチャートを参照しつつ、光伝送装置１Ａによる物理パラメータの調整処理について説明する。なお、図１０に示す処理においても、図７に示した処理と同様に、監視制御信号の信号品質の劣化度合いを判定するため、監視制御部１０は、運用時に送信する監視制御情報ではなく、予め定められたテストパターンの監視制御情報を含む監視制御信号を生成する。
【００５７】
演算部１４１Ａは、設定情報の初期値を設定するため、変数「ｉ」に予め定められる初期値の「１」の値を代入する。演算部１４１Ａは、「ｉ＝１」とされたレコード値「＃ｉ」を含む選択指示情報を設定情報選択部１６に出力する（ステップＳＡ１）。ステップＳＡ２，ＳＡ３，ＳＡ４，ＳＡ５の処理は、それぞれ、図７に示したステップＳａ１，Ｓａ２，Ｓａ３，Ｓａ４の処理に対応する処理である。ステップＳＡ２，ＳＡ３，ＳＡ４，ＳＡ５の各々において、設定情報選択部１６と、演算部１４１Ａと、監視制御部１０と、光送信部１２とによってステップＳａ１，Ｓａ２，Ｓａ３，Ｓａ４の処理が行われる。
【００５８】
演算部１４１Ａは、測定したＢＥＲｉが予め定められる第１閾値より大きいか否かを判定する（ステップＳＡ６）。演算部１４１Ａは、測定したＢＥＲｉが第１閾値以下であると判定した場合（ステップＳＡ６、Ｎｏ）、演算部１４１Ａは、その時点での変数「ｉ」のレコード値「＃ｉ」を含む選択指示情報を設定情報選択部１６に出力する。
【００５９】
設定情報選択部１６は、演算部１４１Ａが出力する選択指示情報に含まれる「＃ｉ」に対応する設定情報を設定情報記憶部１５から読み出し、読み出した設定情報に含まれる「ＩＤＦＢ」、「ＶＥＡ」、「ＩＳＯＡ」の物理パラメータの値を光送信部１２に出力し、「ＭＩ」から算出したＶｐｐ，監視制御信号の値を監視制御部１０に出力する（ステップＳＡ７）。
【００６０】
一方、演算部１４１Ａは、測定したＢＥＲｉが第１閾値より大きいと判定した場合（ステップＳＡ６、Ｙｅｓ）、次の設定情報を選択するため、変数「ｉ」に「ｉ＋１」の値を代入する（ステップＳＡ８）。
【００６１】
演算部１４１Ａは、ｉ≦Ｎであるか否かを判定する（ステップＳＡ９）。なお、Ｎは、予め定められる設定情報の個数の最大値であり、図６の設定情報テーブル１５０においては、Ｎ＝１８０となる。演算部１４１Ａは、ｉ≦Ｎであると判定した場合（ステップＳＡ９、Ｙｅｓ）、ステップＳＡ２からの処理を繰り返す。
【００６２】
一方、演算部１４１Ａは、ｉ＞Ｎであると判定した場合（ステップＳＡ９、Ｎｏ）、初期値である「ｉ＝１」の設定情報を選択させるため、レコード値「＃１」を含む選択指示情報を設定情報選択部１６に出力する。設定情報選択部１６は、演算部１４１Ａが出力する選択指示情報に含まれる「＃１」に対応する設定情報を設定情報記憶部１５から読み出し、読み出した設定情報に含まれる「ＩＤＦＢ」、「ＶＥＡ」、「ＩＳＯＡ」の物理パラメータの値を光送信部１２に出力し、「ＭＩ」から算出したＶｐｐ，監視制御信号の値を監視制御部１０に出力する（ステップＳＡ１０）。
【００６３】
ステップＳＡ７及びステップＳＡ１０の後、監視制御部１０は、運用時の監視制御情報を含む監視制御信号を、設定情報選択部１６が出力するＶｐｐ，監視制御信号で示されるピークピーク値となるように生成して出力する。光送信部１２は、設定情報選択部１６が出力する「ＩＤＦＢ」、「ＶＥＡ」、「ＩＳＯＡ」の電力に関する値で示される電力により、駆動信号を光信号に変換し、変換した光信号を増幅して光ファイバ３１に出力する。これにより、通常の運用が開始され、光伝送装置１は、予め定められる第１閾値以下のビット誤り率となる監視制御信号を含む光信号を光送信部１２より送信することができ、第１閾値以下となるビット誤り率とする設定情報が存在しない場合には、初期値のレコード値「＃１」の設定情報により光信号の送信を開始する。
【００６４】
上記の図１０に示す処理において、一般には、第１閾値として「１０−９」程度の値が適用されることになるが、当該値に限られるものではなく、所望のＢＥＲにしたがった値を定めるようにしてもよい。
【００６５】
なお、図７及び図１０の処理の後、通常の運用を開始することを監視制御部１０に通知してテストパターンの監視制御情報の出力を停止させて、通常の監視制御情報を含む監視制御信号の出力を開始させる必要がある。そのため、例えば、演算部１４１，１４１Ａから監視制御部１０に対して接続線を設けて、通常運用開始の通知情報を送信するような構成が適用される。また、当該構成以外に、設定情報選択部１６を介して演算部１４１，１４１Ａが監視制御部１０に対して当該通知情報を送信する構成を適用してもよい。
【００６６】
また、図７及び図１０の処理において、監視制御信号のＢＥＲを測定する手法として、復調した監視制御信号と、既知のテストパターンとの差分からＢＥＲを算出して測定する手法と、テストパターンのマーク・スペース信号の分散値からＱ値を算出し、算出したＱ値に基づいてＢＥＲを推計する手法とを示したが、当該実施の形態以外の手法を適用してもよい。例えば、光伝送装置１，１Ａにおいて、監視制御部１０は、判定部１４，１４Ａと同一装置内にあるため、生成した監視制御信号を監視制御信号重畳部１１に出力するとともに、当該監視制御信号を参照信号として、監視制御部１０から判定部１４，１４Ａに直接通知するという手法を適用してもよい。
【００６７】
この手法の場合、監視制御信号のフレームの先頭に埋め込まれている同期用のビット列を利用してＢＥＲの算出が行われる。すなわち、演算部１４１，１４１Ａは、当該同期用のビット列を参照し、監視制御部１０が直接判定部１４，１４Ａに通知した参照信号としての監視制御信号と、光送信部１２及びモニタ用光受信部１３を介して得られた測定対象の監視制御信号との先頭位置の同期を取る。演算部１４１，１４１Ａは、同期した後に続くビットの正誤を判定してＢＥＲを算出することによりＢＥＲを測定する。
【００６８】
上記の第１の実施形態の構成により、光伝送装置１，１Ａにおいて、監視制御部１０は、監視制御信号を生成して出力する。監視制御信号重畳部１１は、外部から供給される主信号に監視制御信号を重畳して電気的な駆動信号を生成し、生成する駆動信号を出力する。光送信部１２は、ＤＦＢレーザ１２０と、ＥＡ光変調器１２１と、半導体光増幅器１２２とを有し、ＤＦＢレーザ１２０が出力する光信号を、駆動信号に基づいてＥＡ光変調器１２１が変調し、ＥＡ光変調器１２１が変調した光信号を、半導体光増幅器１２２が増幅して出力する。判定部１４，１４Ａは、光送信部１２が出力する光信号の信号品質の１つである監視制御信号のＢＥＲに基づいて、監視制御信号の信号品質の劣化度合いの判定を行う。設定情報選択部１６は、判定部１４，１４Ａから判定結果に応じた選択指示情報を受け、選択指示情報にしたがってＤＦＢレーザ１２０、もしくは、ＥＡ光変調器１２１、もしくは、半導体光増幅器１２２に与える電力に関する値、または、主信号と監視制御信号との重畳比率を選択する。これにより、監視制御信号のＢＥＲに基づいて、物理パラメータの調整を行い、半導体光増幅器１２２のパターン効果の影響を軽減して監視制御信号の信号品質の劣化を抑制することができる。
【００６９】
上記の図７に示す処理では、演算部１４１が、設定情報記憶部１５に予め記憶されている設定情報に含まれる物理パラメータを網羅的に試験して監視制御信号のＢＥＲが最小とする設定情報を選択するようにしている。そのため、ある程度の個体差が見込まれる光トランシーバが光送信部１２として適用された場合であっても、パターン効果の影響をより少なくし、監視制御信号を介した通信が可能となる。これに対して、図１０に示す処理では、演算部１４１Ａが、第１閾値を基準とし、当該基準を満たす設定情報が存在した段階で、選択処理を終了し、全ての設定情報が基準を満たさない場合、初期値のレコード値「＃１」に対応する設定情報を選択して、対向する他の光伝送装置との初期接続を行うようにしている。そのため、物理パラメータの調整処理が早期に終了することが見込まれるため、図７の処理に比べて初期接続に要する時間を短縮することができる。
【００７０】
図７の処理では、設定情報＃ｉ全てに対してステップＳａ１〜Ｓａ５の処理を実行して最小の設定情報の物理パラメータを設定する構成を示したが、これに限定される必要はない。例えば、図７の処理が開始される前に、設定情報記憶部１５に記憶されているいずれか一つの設定情報（例えば、初期値である設定情報＃１）が設定情報選択部１６によって選択され、選択された設定情報に基づいて得られるＢＥＲの値が、予め定められる第１閾値より大きいか否かの判定が行われてもよい。この場合、演算部１４１は、ＢＥＲの値が、予め定められる第１閾値以下であると判定した場合、物理パラメータの調整を行う必要がないため、処理を終了する。
一方、演算部１４１は、ＢＥＲの値が、予め定められる第１閾値より大きいと判定した場合、Ｌａ１ｓ以降の処理を実行する。
【００７１】
（第２の実施形態）
次に、第２の実施形態について説明する。第２の実施形態では、主信号のビット誤り率に基づいて、パターン効果による監視制御信号の信号品質の劣化度合いを判定して物理パラメータの調整を行う。図１１は、第２の実施形態における光伝送装置１ｂの構成を示すブロック図である。光伝送装置１ｂにおいて、第１の実施形態の光伝送装置１と同一の構成については、同一の符号を付し、以下、異なる構成について説明する。光伝送装置１ｂは、監視制御部１０、監視制御信号重畳部１１、光送信部１２、モニタ用光受信部１３、判定部１４ｂ、設定情報記憶部１５、設定情報選択部１６、光カプラ３０、テスト信号生成部１７及び信号切替スイッチ１８を備える。
【００７２】
信号切替スイッチ１８は、判定部１４ｂからの切替指示情報を受けて、スイッチを切り替え、外部から供給される送信対象の主信号と、テスト信号生成部１７が出力するテスト用の主信号（以下「テスト信号」という。）とのいずれかを、監視制御信号重畳部１１に出力する。テスト信号生成部１７は、判定部１４ｂからのテスト信号生成指示情報を受けて、テストパターンを生成し、生成したテストパターンを含むテスト信号を信号切替スイッチ１８に出力する。ここで、テストパターンとしては、例えば、擬似ランダムビット列（以下「ＰＲＢＳ」（Pseudo random bit sequence）という。）が適用される。
【００７３】
判定部１４ｂは、図１２に示す内部構成を有しており、演算部１４１ｂと、メモリ１４２とを備える。テスト信号のＢＥＲを算出する際、監視制御信号を復調するデジタル信号処理の必要がないため、判定部１４ｂは、第１の実施形態の判定部１４が備えるＡＤＣ１４０を備えない。演算部１４１ｂは、モニタ用光受信部１３が出力する電圧信号をそのまま取り込んでテスト信号を読み出す。
【００７４】
また、演算部１４１ｂは、監視制御信号の信号品質の劣化度合いを判定する際の監視制御信号の信号品質としてテスト信号のＢＥＲを測定する。また、演算部１４１ｂは、測定した結果に基づいて、設定情報を選択して物理パラメータの調整を行う。また、演算部１４１ｂは、信号切替スイッチ１８に対して切替指示情報を出力し、テスト信号生成部１７に対してテスト信号生成指示情報を出力する。また、演算部１４１ｂは、指定する設定情報を選択させる選択指示情報を設定情報選択部１６に出力する。
【００７５】
（第２の実施形態における物理パラメータの調整処理）
図１３は、第２の実施形態における物理パラメータの調整処理を示すフローチャートである。演算部１４１ｂは、テスト信号生成部１７が出力するテスト信号が監視制御信号重畳部１１に出力されるようにスイッチを切り替えさせる切替指示情報を信号切替スイッチ１８に出力する。
【００７６】
信号切替スイッチ１８は、当該切替指示情報にしたがって、外部から供給される主信号の導通を停止して、テスト信号生成部１７が出力するテスト信号を導通させて、テスト信号が監視制御信号重畳部１１に出力されるようにスイッチを切り替える。演算部１４１ｂは、テスト信号生成部１７に対してテスト信号生成指示情報を出力する。テスト信号生成部１７は、テストパターンを生成し、生成したテストパターンを含むテスト信号を信号切替スイッチ１８を経由して監視制御信号重畳部１１に出力する（ステップＳｂ１）。
【００７７】
ステップＳｂ２，Ｓｂ３，Ｓｂ４の処理は、それぞれ、図７に示したステップＳａ１，Ｓａ２，Ｓａ３の処理に対応する処理である。ステップＳｂ２，Ｓｂ３，Ｓｂ４の各々において、設定情報選択部１６と、演算部１４１ｂと、監視制御部１０と、電力供給部１２３とによってステップＳａ１，Ｓａ２，Ｓａ３の処理が行われる。なお、第２の実施形態では、第１の実施形態と異なり、図１３の処理において監視制御部１０が出力する監視制御情報は、テストパターンでなく、運用時に送信する監視制御情報である。
【００７８】
監視制御信号重畳部１１は、信号切替スイッチ１８を介してテスト信号生成部１７から受けるテスト信号と、監視制御信号とを物理的に重畳して駆動信号を生成し、生成した駆動信号を光送信部１２に出力する。光送信部１２において、ＤＦＢレーザ１２０は、電力供給部１２３から供給される「ＩＤＦＢ」の物理パラメータの値に対応する電力により光信号を生成して出力する。ＥＡ光変調器１２１は、電力供給部１２３から供給される「ＶＥＡ」の物理パラメータの値に対応する電力により、監視制御信号重畳部１１が出力する駆動信号に基づいて、ＤＦＢレーザ１２０が出力する光信号を強度変調する。半導体光増幅器１２２は、光ファイバ３１に接続されており、電力供給部１２３から供給される「ＩＳＯＡ」の物理パラメータの値に対応する電力によりＥＡ光変調器１２１によって変調された光信号を増幅して光ファイバ３１に出力する。
【００７９】
光カプラ３０は、光送信部１２が出力する光信号を分岐比９９：１で分岐する。モニタ用光受信部１３のＰＤ１３０は、光カプラ３０が分岐した１％分の光信号を光ファイバ３１−１を介して受光する。ＰＤ１３０は、受光した光信号のパワーに応じた電流値の電流信号をＩ／Ｖ変換器１３１に出力する。Ｉ／Ｖ変換器１３１は、ＰＤ１３０が出力した電流信号を電圧信号に変換して出力する。電圧増幅器１３２は、Ｉ／Ｖ変換器１３１が出力した電圧信号を予め定められる一定の増幅率で増幅して出力する。
【００８０】
演算部１４１ｂは、モニタ用光受信部１３が出力する電圧信号からテスト信号を読み出す。演算部１４１ｂは、読み出したテスト信号のＢＥＲを測定する（ステップＳｂ５）。ＢＥＲの測定は、例えば、演算部１４１ｂが内部に備えるＢＥＲＴ（Bit Error Rate Tester）等を用いて、以下のように行われる。テスト信号に含まれるテストパターンは、予め定められる既知のパターンであるため、例えば、演算部１４１ｂが、既知のテストパターンを予め内部の記憶領域に参照パターンとして取り込んでおく。演算部１４１ｂは、モニタ用光受信部１３から受けた電圧信号からテスト信号を読み出した際、読み出したテスト信号のテストパターンと、内部の記憶領域に記憶している参照パターンとの差分からＢＥＲを算出することによりＢＥＲの測定を行う。
【００８１】
演算部１４１ｂは、算出したＢＥＲが、特定の設定情報に対応していることを示すため、例えば、設定情報のレコード値が「＃１」の場合、ＢＥＲ１としてメモリ１４２に書き込んで記憶させる（ステップＳｂ６）。演算部１４１ｂは、変数「ｉ」に「１」を加えた、次のレコード値、例えば、ステップＳｂ６の処理時点のレコード値が「＃１」である場合、「＃２」を含む選択指示情報を設定情報選択部１６に出力する。設定情報選択部１６は、選択指示情報に含まれる「＃２」に対応する設定情報を設定情報記憶部１５から読み出し（ステップＳｂ２）、ステップＳｂ３〜Ｓｂ６の処理が行われる。このようにして、「＃１」〜「＃１８０」の１８０個全ての設定情報について、ステップＳｂ２〜Ｓｂ６の処理が繰り返し行われる（ループＬｂ１ｓ〜Ｌｂ１ｅ）。
【００８２】
演算部１４１ｂは、１８０個全ての設定情報について、ＢＥＲｉ（ｉ＝１〜１８０）を算出してメモリ１４２に書き込んで記憶させた後、メモリ１４２に記憶されている全てのＢＥＲｉの中から最も小さな値、すなわち最もビット誤り率が低いＢＥＲｍの「ｍ」の値を読み出す。演算部１４１ｂは、読み出した「ｍ」に対応するレコード値である「＃ｍ」を含む選択指示情報を設定情報選択部１６に出力する。
【００８３】
設定情報選択部１６は、演算部１４１ｂが出力する選択指示情報に含まれる「＃ｍ」に対応する設定情報を設定情報記憶部１５から読み出す。設定情報選択部１６は、読み出した設定情報に含まれる「ＩＤＦＢ」、「ＶＥＡ」、「ＩＳＯＡ」の物理パラメータの値を光送信部１２に出力し、「ＭＩ」から算出したＶｐｐ，監視制御信号の値を監視制御部１０に出力する。監視制御部１０は、運用時の監視制御情報を含む監視制御信号を、設定情報選択部１６が出力するＶｐｐ，監視制御信号で示されるピークピーク値となるように生成して出力する。光送信部１２は、設定情報選択部１６が出力する「ＩＤＦＢ」、「ＶＥＡ」、「ＩＳＯＡ」の電力に関する値で示される電力により、駆動信号を光信号に変換し、変換した光信号を増幅して光ファイバ３１に出力する（ステップＳｂ７）。
【００８４】
演算部１４１ｂは、外部から供給される送信対象の主信号が監視制御信号重畳部１１に出力されるようにスイッチを切り替えさせる切替指示情報を信号切替スイッチ１８に出力する。信号切替スイッチ１８は、当該切替指示情報にしたがって、テスト信号生成部１７が出力するテスト信号の導通を停止させて、外部から供給される主信号を導通させて監視制御信号重畳部１１に出力するようにスイッチを切り替える。これにより、送信対象の主信号のデータの導通が開始し、対向する他の光伝送装置との初期接続を開始する（ステップＳｂ８）。これにより、光伝送装置１は、最も低いビット誤り率の主信号を含む光信号を光送信部１２より送信することができる。なお、ステップＳｂ８の後のタイミングで、演算部１４１ｂは、テスト信号生成部１７にテスト信号の生成を停止させる指示情報を送信してテスト信号の生成を停止させるようにしてもよい。
【００８５】
なお、上記の第２の実施形態の構成では、参照パターンと、モニタ用光受信部１３の電圧信号から読み出したテストパターンとの差分からテスト信号のＢＥＲを算出するようにしているが、当該実施の形態に限られるものではない。例えば、ＢＥＲではなく、１０秒間のエラー数を計測するという手法を適用するようにしてもよい。
【００８６】
また、上記の第２の実施形態の構成では、テストパターンとしてＰＲＢＳを適用しているが、ＰＲＢＳに替えて、主信号フレームの構造を模した固定ビット列を適用するようにしてもよい。
【００８７】
上記の第２の実施形態の構成により、光伝送装置１ｂにおいて、監視制御部１０は、監視制御信号を生成して出力する。監視制御信号重畳部１１は、外部から供給される主信号に監視制御信号を重畳して電気的な駆動信号を生成し、生成する駆動信号を出力する。光送信部１２は、ＤＦＢレーザ１２０と、ＥＡ光変調器１２１と、半導体光増幅器１２２とを有し、ＤＦＢレーザ１２０が出力する光信号を、駆動信号に基づいてＥＡ光変調器１２１が変調し、ＥＡ光変調器１２１が変調した光信号を、半導体光増幅器１２２が増幅して出力する。判定部１４ｂは、光送信部１２が出力する光信号の信号品質の１つである主信号のＢＥＲに基づいて、監視制御信号の信号品質の劣化度合いの判定を行う。設定情報選択部１６は、判定部１４ｂから判定結果に応じた選択指示情報を受け、選択指示情報にしたがってＤＦＢレーザ１２０、もしくは、ＥＡ光変調器１２１、もしくは、半導体光増幅器１２２に与える電力に関する値、または、主信号と監視制御信号との重畳比率を選択する。これにより、主信号のＢＥＲに基づいて、物理パラメータの調整を行い、半導体光増幅器１２２のパターン効果の影響を軽減して監視制御信号の信号品質の劣化を抑制することができる。
【００８８】
また、上記の第２の実施形態の構成では、主信号のＢＥＲを最小にするような設定情報を選択するようにしていることにより、監視制御信号と主信号の両信号の信号品質の歪み等の劣化を改善することができる。その理由は、監視制御信号は、主信号に対して二桁以上のオーダで遅い信号系列であり、主信号が劣化なく導通できていれば、監視制御信号も劣化なく導通しているとみなすことができるためである。したがって、上記の第２の実施形態の構成のように主信号のＢＥＲに基づいて物理パラメータを調整することにより、主信号の劣化を改善することで、監視制御信号の信号品質の劣化を抑止することが可能となる。
【００８９】
図１３の処理では、設定情報＃ｉ全てに対してステップＳｂ２〜Ｓｂ６の処理を実行して最小の設定情報の物理パラメータを設定する構成を示したが、これに限定される必要はない。例えば、ステップＳｂ１とＬｂ１ｓとの間において、設定情報記憶部１５に記憶されているいずれかの設定情報（例えば、初期値である設定情報＃１）が設定情報選択部１６によって選択され、選択された設定情報に基づいて得られるＢＥＲの値が、予め定められる第２閾値より大きいか否かの判定が行われてもよい。演算部１４１ｂが、ＢＥＲの値が、予め定められる第２閾値以下であると判定した場合、光伝送装置１ｂはステップＳｂ８の処理を実行する。
一方、演算部１４１ｂが、ＢＥＲの値が、予め定められる第２閾値より大きいと判定した場合、光伝送装置１ｂはＬｂ１ｓ以降の処理を実行する。
【００９０】
（第３実施形態）
次に、第３実施形態について説明する。第３実施形態では、受光パワーに基づいて、パターン効果による監視制御信号の信号品質の劣化度合いを判定して物理パラメータの調整を行う。第３実施形態の光伝送装置は、第１の実施形態の光伝送装置１の構成において、判定部１４の構成を図１４に示す判定部１４ｃに置き換えた構成となる。なお、説明の便宜上、光伝送装置１において判定部１４が判定部１４ｃに置き換えられた構成を、以下、光伝送装置１ｃという。第３実施形態において、第１の実施形態と同一の構成については、同一の符号を付し、以下、異なる構成について説明する。
【００９１】
判定部１４ｃは、演算部１４１ｃ、メモリ１４２、及びパワーメータ１４３を備える。パワーメータ１４３は、モニタ用光受信部１３の電圧増幅器１３２が出力する電圧信号の電力値を測定する。演算部１４１ｃは、パワーメータ１４３が出力する電力値に基づいて、光強度値、すなわち受光パワーを算出する。また、演算部１４１ｃは、算出した受光パワーが半導体光増幅器１２２の飽和光出力を上回らない範囲の受光パワーとなるように設定情報を選択して物理パラメータの調整を行う。また、演算部１４１ｃは、指定する設定情報を選択させる選択指示情報を設定情報選択部１６に出力する。
【００９２】
（第３実施形態における物理パラメータの調整処理）
図１５は、第３実施形態における物理パラメータの調整処理を示すフローチャートである。図１５に示すフローチャートが開始される前に、例えば、設定情報記憶部１５に記憶されているいずれかの設定情報が設定情報選択部１６によって選択され、光送信部１２が光信号を出力している状態であるとする。
【００９３】
判定部１４ｃのパワーメータ１４３は、モニタ用光受信部１３の電圧増幅器１３２が出力する電圧信号の電力値を測定して出力する。演算部１４１ｃは、モニタ用光受信部１３の電圧増幅器１３２が出力する電圧信号の電力値に基づいて受光パワーを算出する。演算部１４１ｃは、算出した受光パワーが、予め定められる第３閾値より大きいか否かを判定する（ステップＳｃ１）。演算部１４１ｃは、算出した受光パワーが、予め定められる第３閾値以下であると判定した場合（ステップＳｃ１、Ｎｏ）、物理パラメータの調整を行う必要がないため、処理を終了する。
【００９４】
一方、演算部１４１ｃは、算出した受光パワーが、予め定められる第３閾値より大きいと判定した場合（ステップＳｃ１、Ｙｅｓ）、物理パラメータを調整する処理を開始する。ステップＳｃ２，Ｓｃ３，Ｓｃ４の処理は、それぞれ、図７に示したステップＳａ１，Ｓａ２，Ｓａ３の処理に対応する処理である。ステップＳｃ２，Ｓｃ３，Ｓｃ４の各々において、設定情報選択部１６と、演算部１４１ｃと、監視制御部１０と、電力供給部１２３とによってステップＳａ１，Ｓａ２，Ｓａ３の処理が行われる。なお、第３実施形態では、第１の実施形態と異なり、図１５の処理において監視制御部１０が出力する監視制御情報は、テストパターンでなく、運用時に送信する監視制御情報である。
【００９５】
監視制御信号重畳部１１は、外部から供給される主信号と、監視制御信号とを物理的に重畳して駆動信号を生成し、生成した駆動信号を光送信部１２に出力する。光送信部１２において、ＤＦＢレーザ１２０は、電力供給部１２３から供給される「ＩＤＦＢ」の物理パラメータの値に対応する電力により光信号を生成して出力する。ＥＡ光変調器１２１は、電力供給部１２３から供給される「ＶＥＡ」の物理パラメータの値に対応する電力により、監視制御信号重畳部１１が出力する駆動信号に基づいて、ＤＦＢレーザ１２０が出力する光信号を強度変調する。半導体光増幅器１２２は、光ファイバ３１に接続されており、電力供給部１２３から供給される「ＩＳＯＡ」の物理パラメータの値に対応する電力によりＥＡ光変調器１２１によって変調された光信号を増幅して光ファイバ３１に出力する。
【００９６】
光カプラ３０は、光送信部１２が出力する光信号を分岐比９９：１で分岐する。モニタ用光受信部１３のＰＤ１３０は、光カプラ３０が分岐した１％分の光信号を光ファイバ３１−１を介して受光する。ＰＤ１３０は、受光した光信号のパワーに応じた電流値の電流信号をＩ／Ｖ変換器１３１に出力する。Ｉ／Ｖ変換器１３１は、ＰＤ１３０が出力した電流信号を電圧信号に変換して出力する。電圧増幅器１３２は、Ｉ／Ｖ変換器１３１が出力した電圧信号を予め定められる一定の増幅率で増幅して出力する。
【００９７】
判定部１４ｃのパワーメータ１４３は、モニタ用光受信部１３の電圧増幅器１３２が出力する電圧信号の電力値を測定して出力する。演算部１４１ｃは、モニタ用光受信部１３の電圧増幅器１３２が出力する電圧信号の電力値に基づいて受光パワーを算出する（ステップＳｃ５）。演算部１４１ｃは、算出した受光パワーが、特定の設定情報に対応していることを示すため、例えば、設定情報のレコード値が「＃１」の場合、受光パワー１としてメモリ１４２に書き込んで記憶させる（ステップＳｃ６）。
【００９８】
演算部１４１ｃは、変数「ｉ」に「１」を加えた、次のレコード値、例えば、ステップＳｃ６の処理時点のレコード値が「＃１」である場合、「１」を加えた「＃２」を含む選択指示情報を設定情報選択部１６に出力する。設定情報選択部１６は、「＃２」の設定情報を設定情報記憶部１５から読み出し（ステップＳｃ２）、ステップＳｃ３〜Ｓｃ６の処理が行われる。このようにして、「＃１」〜「＃１８０」の１８０個全ての設定情報について、ステップＳｃ２〜Ｓｃ６の処理が繰り返し行われる（ループＬｃ１ｓ〜Ｌｃ１ｅ）。
【００９９】
演算部１４１ｃは、１８０個全ての設定情報について受光パワーｉ（ｉ＝１〜１８０）を算出してメモリ１４２に書き込んで記憶させた後、メモリ１４２に記憶されている全ての受光パワーｉが、予め定められる第３閾値より大きいか否かを判定する（ステップＳｃ７）。
【０１００】
演算部１４１ｃは、いずれかの受光パワーｉが、第３閾値以下であると判定した場合（ステップＳｃ７、Ｎｏ）、第３閾値以下の受光パワーｉの中で、最大の受光パワーを示す受光パワーＭを検出し、検出した受光パワーＭのレコード値である「＃Ｍ」の値を取得する（ステップＳｃ８）。
【０１０１】
一方、演算部１４１ｃは、全ての受光パワーｉが、第３閾値より大きいと判定した場合（ステップＳｃ７、Ｙｅｓ）、最小の受光パワーを示す受光パワーｍを検出し、検出した受光パワーｍのレコード値の「＃ｍ」の値を取得する（ステップＳｃ９）。
【０１０２】
ステップＳｃ８及びＳｃ９の後、演算部１４１ｃは、取得したレコード値を含む選択指示情報を生成する（ステップＳｃ１０）。演算部１４１ｃは、生成した選択指示情報を設定情報選択部１６に出力する。設定情報選択部１６は、演算部１４１ｃが出力する選択指示情報に含まれるレコード値に対応する設定情報を設定情報記憶部１５から読み出し、読み出した設定情報に含まれる「ＩＤＦＢ」、「ＶＥＡ」、「ＩＳＯＡ」の物理パラメータの値を光送信部１２に出力し、「ＭＩ」の物理パラメータから算出したＶｐｐ，監視制御信号の値を監視制御部１０に出力する（ステップＳｃ１１）。
【０１０３】
監視制御部１０は、監視制御信号を、設定情報選択部１６が出力するＶｐｐ，監視制御信号で示されるピークピーク値となるように生成して出力する。光送信部１２は、設定情報選択部１６が出力する「ＩＤＦＢ」、「ＶＥＡ」、「ＩＳＯＡ」の電力に関する値で示される電力により、駆動信号を光信号に変換し、変換した光信号を増幅して光ファイバ３１に出力し、対向する他の光伝送装置との初期接続を開始する。
【０１０４】
（第３実施形態における他の物理パラメータの調整処理）
図１６は、第３実施形態における他の物理パラメータの調整処理を行う判定部１４Ｃの構成を示すブロック図である。判定部１４Ｃは、第１の実施形態の光伝送装置１の判定部１４に置き換えて適用される構成であり、上述したパワーメータ１４３と、演算部１４１Ｃとを備える。なお、光伝送装置１において判定部１４が判定部１４Ｃに置き換えられた構成を、説明の便宜上、以下、光伝送装置１Ｃという。
【０１０５】
演算部１４１Ｃは、演算部１４１ｃと同様にパワーメータ１４３が出力する電力値に基づいて、受光パワー、すなわち光強度を算出する構成を有しているが、以下に示すように、算出した後の監視制御信号の信号品質の劣化度合いの判定する処理の手順が演算部１４１ｃと異なる。
【０１０６】
次に、図１７のフローチャートを参照しつつ、光伝送装置１Ｃによる物理パラメータの調整処理について説明する。
演算部１４１Ｃは、変数「ｉ」に予め定められる初期値のレコード値を示す「１」の値を代入し、「ｉ＝１」とされたレコード値「＃ｉ」を含む選択指示情報を設定情報選択部１６に出力する（ステップＳＣ２）。ステップＳＣ３，ＳＣ４，ＳＣ５，ＳＣ６の処理は、それぞれ、図１５に示したステップＳｃ２，Ｓｃ３，Ｓｃ４，Ｓｃ５の処理に対応する処理である。ステップＳＣ３，ＳＣ４，ＳＣ５，ＳＣ６の各々において、設定情報選択部１６と、演算部１４１Ｃと、監視制御部１０と、光送信部１２とによってステップＳｃ２，Ｓｃ３，Ｓｃ４，Ｓｃ５の処理が行われる。なお、第３実施形態では、第１の実施形態と異なり、図１７の処理において監視制御部１０が出力する監視制御情報は、テストパターンでなく、運用時に送信する監視制御情報である。
【０１０７】
演算部１４１Ｃは、算出した受光パワーｉが第３閾値より大きいか否かを判定する（ステップＳＣ７）。演算部１４１Ｃは、算出した受光パワーｉが第３閾値以下であると判定した場合（ステップＳＣ７、Ｎｏ）、演算部１４１Ｃは、その時点での変数「ｉ」のレコード値「＃ｉ」を含む選択指示情報を設定情報選択部１６に出力する。
【０１０８】
設定情報選択部１６は、演算部１４１Ｃが出力する選択指示情報に含まれる「＃ｉ」に対応する設定情報を設定情報記憶部１５から読み出し、読み出した設定情報に含まれる「ＩＤＦＢ」、「ＶＥＡ」、「ＩＳＯＡ」の物理パラメータの値を光送信部１２に出力し、「ＭＩ」から算出したＶｐｐ，監視制御信号の値を監視制御部１０に出力する（ステップＳＣ８）。
【０１０９】
一方、演算部１４１Ｃは、算出した受光パワーｉが予め定められる第３閾値より大きいと判定した場合（ステップＳＣ７、Ｙｅｓ）、次の設定情報を選択するため、変数「ｉ」に「ｉ＋１」の値を代入する（ステップＳＣ９）。
【０１１０】
演算部１４１Ｃは、ｉ≦Ｎであるか否かを判定する（ステップＳＣ１０）。なお、Ｎは、予め定められる設定情報の最大値の値であり、図６の設定情報テーブル１５０においては、Ｎ＝１８０となる。演算部１４１Ｃは、ｉ≦Ｎであると判定した場合（ステップＳＣ１０、Ｙｅｓ）、ステップＳＣ３からの処理を繰り返す。
【０１１１】
一方、演算部１４１Ｃは、ｉ＞Ｎであると判定した場合（ステップＳＣ１０、Ｎｏ）、最小の受光パワーを示す受光パワーｍを検出し、検出した受光パワーｍの「ｍ」の値を読み出す。演算部１４１Ｃは、読み出した「ｍ」に対応するレコード値である「＃ｍ」を含む選択指示情報を設定情報選択部１６に出力する。設定情報選択部１６は、演算部１４１Ｃが出力する選択指示情報に含まれる「＃ｍ」に対応する設定情報を設定情報記憶部１５から読み出す。設定情報選択部１６は、読み出した設定情報に含まれる「ＩＤＦＢ」、「ＶＥＡ」、「ＩＳＯＡ」の物理パラメータの値を光送信部１２に出力し、「ＭＩ」の物理パラメータから算出したＶｐｐ，監視制御信号の値を監視制御部１０に出力する（ステップＳＣ１１）。
【０１１２】
ステップＳＣ８及びステップＳＣ１１の後、監視制御部１０は、監視制御信号を、設定情報選択部１６が出力するＶｐｐ，監視制御信号で示されるピークピーク値となるように生成して出力する。光送信部１２は、設定情報選択部１６が出力する「ＩＤＦＢ」、「ＶＥＡ」、「ＩＳＯＡ」の電力に関する値で示される電力により、駆動信号を光信号に変換し、変換した光信号を増幅して光ファイバ３１に出力し、対向する他の光伝送装置との初期接続を開始する。
【０１１３】
上記の第３実施形態の構成により、光伝送装置１ｃ，１Ｃにおいて、監視制御部１０は、監視制御信号を生成して出力する。監視制御信号重畳部１１は、外部から供給される主信号に監視制御信号を重畳して電気的な駆動信号を生成し、生成する駆動信号を出力する。光送信部１２は、ＤＦＢレーザ１２０と、ＥＡ光変調器１２１と、半導体光増幅器１２２とを有し、ＤＦＢレーザ１２０が出力する光信号を、駆動信号に基づいてＥＡ光変調器１２１が変調し、ＥＡ光変調器１２１が変調した光信号を、半導体光増幅器１２２が増幅して出力する。判定部１４ｃ，１４Ｃは、光送信部１２が出力する光信号の信号品質の１つである光信号の受光パワーに基づいて、監視制御信号の信号品質の劣化度合いの判定を行う。設定情報選択部１６は、判定部１４ｃ，１４Ｃから判定結果に応じた選択指示情報を受け、選択指示情報にしたがってＤＦＢレーザ１２０、もしくは、ＥＡ光変調器１２１、もしくは、半導体光増幅器１２２に与える電力に関する値、または、主信号と監視制御信号との重畳比率を選択する。これにより、光信号の受光パワーに基づいて、物理パラメータの調整を行い、半導体光増幅器１２２のパターン効果の影響を軽減して監視制御信号の信号品質の劣化を抑制することができる。
【０１１４】
第３実施形態の光伝送装置１ｃ，１Ｃでは、実際に光送信部１２の半導体光増幅器１２２が出力する光信号のうち光カプラ３０によって分岐された一部の光信号の受光パワーに基づいて、物理パラメータの調整を行っている。半導体光増幅器１２２が出射する光を飽和光出力より小さくすればするほど、パターン効果そのものを抑制することができる。したがって、上記の予め定められる第３閾値を、例えば、飽和光出力から４ｄＢ小さい値とすることで、当該第３閾値を上回らない、すなわち半導体光増幅器１２２の飽和光出力を上回らない範囲に受光パワーを抑制することで、パターン効果の影響を軽減して、監視制御信号の信号品質の劣化を抑制することができる。また、第３実施形態においても、第２の実施形態と同様の理由により、主信号の信号品質を改善することで、監視制御信号と主信号の両信号の信号品質の歪み等の劣化を改善している。
【０１１５】
また、上記の図１５に示す処理では、演算部１４１ｃが、設定情報記憶部１５に予め記憶されている設定情報に含まれる物理パラメータを網羅的に試験して設定情報の選択を行っているため、半導体光増幅器１２２の飽和光出力を上回らない範囲において最大の受光パワーとなる設定情報を選択することができる。これに対して、図１７に示す処理では、演算部１４１Ｃが、第３閾値を基準とし、当該基準を満たす設定情報が存在した段階で、選択処理を終了し、対向する他の光伝送装置との初期接続を行うようにしている。そのため、物理パラメータの調整処理が早期に終了することが見込まれるため、図１５の処理に比べて初期接続に要する時間を短縮することができる。また、図１５及び図１７に示す処理において、全ての設定情報に対応する受光パワーが、第３閾値を上回っている場合に、最小の受光パワーとなる設定情報を選択するようにしているので、影響を極力抑えた状況で光信号を出力することができる。
【０１１６】
なお、図１５のステップＳｃ１において行う受光パワーが第３閾値より大きいか否かを判定する処理は、上述した通り、光送信部１２から光信号が出力されている状態を前提として行っている処理である。しかしながら、当該実施の形態に限られるものではなく、ステップＳｃ１の処理をなくして、通常の運用の開始前に、図１５においては、Ｌｃ１ｓのループの処理から開始するようにしてもよい。
【０１１７】
（第４実施形態）
次に、第４実施形態について説明する。第４実施形態では、主信号のアイパターンに基づいて、パターン効果による監視制御信号の信号品質の劣化度合いを判定して物理パラメータの調整を行う。第４実施形態の光伝送装置は、第１の実施形態の光伝送装置１の構成において、判定部１４の構成を図１８に示す判定部１４ｄに置き換えた構成となる。なお、光伝送装置１において判定部１４を判定部１４ｄに置き換えた構成を、説明の便宜上、以下、光伝送装置１ｄという。第４実施形態において、第１の実施形態と同一の構成については、同一の符号を付し、以下、異なる構成について説明する。
【０１１８】
判定部１４ｄは、演算部１４１ｄと、スコープ１４４とを備える。スコープ１４４は、例えば、オシロスコープ等であり、モニタ用光受信部１３の電圧増幅器１３２が出力する電圧信号を取り込み、取り込んだ電圧信号に基づいて主信号のアイパターンを検出する。また、スコープ１４４は、検出したアイパターンに対して、予め定められるマスクパターンを用いてマスクテストを行う。マスクテストに適用されるマスクパターンとして、例えば、イーサネット（登録商標）で規定されるマスクパターンが適用される。演算部１４１ｄは、スコープ１４４のマスクテストの判定結果にしたがって、主信号のアイパターンがマスク領域に抵触しない設定情報を選択して物理パラメータの調整を行う。
【０１１９】
（第４実施形態における物理パラメータの調整処理）
次に、図１９に示すフローチャートを参照しつつ、第４実施形態における物理パラメータの調整処理について説明する。
【０１２０】
判定部１４ｄの演算部１４１ｄは、設定情報の初期値を設定するため、予め定められる初期値である「１」の値を変数「ｉ」に代入し、「ｉ＝１」とされたレコード値「＃ｉ」を含む選択指示情報を設定情報選択部１６に出力する（ステップＳｄ１）。ステップＳｄ２，Ｓｄ３，Ｓｄ４の処理は、それぞれ、図１０に示したステップＳＡ２，ＳＡ３，ＳＡ４の処理に対応する処理である。ステップＳｄ２，Ｓｄ３，Ｓｄ４の各々において、設定情報選択部１６と、演算部１４１ｄと、監視制御部１０と、電力供給部１２３とによってステップＳＡ２，ＳＡ３，ＳＡ４の処理が行われる。なお、第４実施形態では、第１の実施形態と異なり、図１９の処理において監視制御部１０が出力する監視制御情報は、テストパターンでなく、運用時に送信する監視制御情報である。
【０１２１】
監視制御信号重畳部１１は、主信号と監視制御信号とを物理的に重畳して駆動信号を生成し、生成した駆動信号を光送信部１２に出力する。光送信部１２において、ＤＦＢレーザ１２０は、電力供給部１２３から供給される「ＩＤＦＢ」の物理パラメータの値に対応する電力により光信号を生成して出力する。ＥＡ光変調器１２１は、電力供給部１２３から供給される「ＶＥＡ」の物理パラメータの値に対応する電力により、監視制御信号重畳部１１が出力する駆動信号に基づいて、ＤＦＢレーザ１２０が出力する光信号を強度変調する。半導体光増幅器１２２は、光ファイバ３１に接続されており、電力供給部１２３から供給される「ＩＳＯＡ」の物理パラメータの値に対応する電力によりＥＡ光変調器１２１によって変調された光信号を増幅して光ファイバ３１に出力する。
【０１２２】
光カプラ３０は、光送信部１２が出力する光信号を分岐比９９：１で分岐する。モニタ用光受信部１３のＰＤ１３０は、光カプラ３０が分岐した１％分の光信号を光ファイバ３１−１を介して受光する。ＰＤ１３０は、受光した光信号のパワーに応じた電流値の電流信号をＩ／Ｖ変換器１３１に出力し、Ｉ／Ｖ変換器１３１は、当該電流信号を電圧信号に変換して出力する。電圧増幅器１３２は、Ｉ／Ｖ変換器１３１が出力した電圧信号を予め定められる一定の増幅率で増幅して出力する。
【０１２３】
スコープ１４４は、モニタ用光受信部１３の電圧増幅器１３２が出力する電圧信号から主信号のアイパターンを検出する。スコープ１４４が検出したアイパターンを、「＃ｉ」の設定情報に対応するアイパターンとして、アイパターンｉとして表す（ステップＳｄ５）。
【０１２４】
スコープ１４４は、予め定められるマスクパターンと、検出したアイパターンｉとに基づいて、検出したアイパターンｉが、マスクパターンのマスク領域に抵触するか否かを判定する（ステップＳｄ６）。スコープ１４４は、検出したアイパターンｉが、マスクパターンのマスク領域に抵触しないと判定した場合（ステップＳｄ６、Ｎｏ）、当該判定結果を演算部１４１ｄに出力する。演算部１４１ｄは、その時点での変数「ｉ」のレコード値「＃ｉ」を含む選択指示情報を設定情報選択部１６に出力する。
【０１２５】
設定情報選択部１６は、演算部１４１ｄが出力する選択指示情報に含まれる「＃ｉ」のレコード値に対応する設定情報を設定情報記憶部１５から読み出す。設定情報選択部１６は、読み出した設定情報に含まれる「ＩＤＦＢ」、「ＶＥＡ」、「ＩＳＯＡ」の物理パラメータの値を光送信部１２に出力し、「ＭＩ」から算出したＶｐｐ，監視制御信号の値を監視制御部１０に出力する（ステップＳｄ７）。
【０１２６】
一方、スコープ１４４は、検出したアイパターンｉが、マスクパターンのマスク領域に抵触すると判定した場合（ステップＳｄ６、Ｙｅｓ）、当該判定結果を演算部１４１ｄに出力する。演算部１４１ｄは、次の設定情報を選択するため、変数「ｉ」に「ｉ＋１」の値を代入する（ステップＳｄ８）。
【０１２７】
演算部１４１ｄは、ｉ≦Ｎであるか否かを判定する（ステップＳｄ９）。なお、Ｎは、予め定められる設定情報の最大値の値であり、図６の設定情報テーブル１５０においては、Ｎ＝１８０となる。演算部１４１ｄは、ｉ≦Ｎであると判定した場合（ステップＳｄ９、Ｙｅｓ）、ステップＳｄ２からの処理を繰り返す。
【０１２８】
一方、演算部１４１ｄは、ｉ＞Ｎであると判定した場合（ステップＳｄ９、Ｎｏ）、初期値である「ｉ＝１」の設定情報を選択させるため、レコード値「＃１」の値を含む選択指示情報を設定情報選択部１６に出力する。設定情報選択部１６は、演算部１４１ｄが出力する選択指示情報に含まれる「＃１」に対応する設定情報を設定情報記憶部１５から読み出す。設定情報選択部１６は、読み出した設定情報に含まれる「ＩＤＦＢ」、「ＶＥＡ」、「ＩＳＯＡ」の物理パラメータの値を光送信部１２に出力し、「ＭＩ」から算出したＶｐｐ，監視制御信号の値を監視制御部１０に出力する（ステップＳｄ１０）。
【０１２９】
ステップＳｄ７及びステップＳｄ１０の後、通常の運用が開始され、監視制御部１０は、運用時に送信する監視制御情報を含む監視制御信号を、設定情報選択部１６が出力するＶｐｐ，監視制御信号で示されるピークピーク値となるように生成して出力する。光送信部１２は、設定情報選択部１６が出力する「ＩＤＦＢ」、「ＶＥＡ」、「ＩＳＯＡ」の電力に関する値で示される電力により、駆動信号を光信号に変換し、変換した光信号を増幅して光ファイバ３１に出力する。
【０１３０】
上記の第４実施形態の構成により、光伝送装置１ｄにおいて、監視制御部１０は、監視制御信号を生成して出力する。監視制御信号重畳部１１は、外部から供給される主信号に監視制御信号を重畳して電気的な駆動信号を生成し、生成する駆動信号を出力する。光送信部１２は、ＤＦＢレーザ１２０と、ＥＡ光変調器１２１と、半導体光増幅器１２２とを有し、ＤＦＢレーザ１２０が出力する光信号を、駆動信号に基づいてＥＡ光変調器１２１が変調し、ＥＡ光変調器１２１が変調した光信号を、半導体光増幅器１２２が増幅して出力する。判定部１４ｄは、光送信部１２が出力する光信号の信号品質の１つである主信号のアイパターンを検出し、検出したアイパターンと、予め定められるマスクパターンとに基づいて、監視制御信号の信号品質の劣化度合いの判定を行う。設定情報選択部１６は、判定部１４ｄから判定結果に応じた選択指示情報を受け、選択指示情報にしたがってＤＦＢレーザ１２０、もしくは、ＥＡ光変調器１２１、もしくは、半導体光増幅器１２２に与える電力に関する値、または、主信号と監視制御信号との重畳比率を選択する。これにより、主信号のアイパターンに基づいて、物理パラメータの調整を行い、半導体光増幅器１２２のパターン効果の影響を軽減して監視制御信号の信号品質の劣化を抑制することができる。
【０１３１】
第４実施形態では、主信号のアイパターンに対してマスクテストを行い、アイパターンがマスク領域に抵触するか否かを基準として、物理パラメータの調整を行うようにしている。そのため、例えば、パターン効果によるオーバーシュートが発生している場合、マスクテストにおいてアイパターンが上部マスク領域に抵触することになり、パターン効果を直接検知することができる。また、基準を満たす設定情報が存在した段階で、選択処理を終了し、全ての設定情報が基準を満たさない場合、初期値であるレコード値「＃１」の設定情報を選択して、対向する他の光伝送装置との初期接続を行うようにしている。そのため、物理パラメータの調整処理が早期に終了することが見込まれるため、初期接続に要する時間を短縮することができる。これにより、第４実施形態の光伝送装置１ｄは、パターン効果による監視制御信号の品質劣化を抑制して光信号の伝送を行うことができる。また、第４実施形態においても、第２の実施形態と同様の理由により、主信号の信号品質を改善することで、監視制御信号と主信号の両信号の信号品質の歪み等の劣化を改善している。
【０１３２】
なお、上記の第４実施形態において、マスクテストに適用されるマスクパターンとして、イーサネット（登録商標）で規定されるマスクパターンを例として挙げているが、当該実施の形態に限られるものではなく、他のマスクパターンを適用してもよい。
【０１３３】
（第５実施形態）
次に、第５実施形態について説明する。上記の第１から第４実施形態では、例えば、第１の実施形態において説明したように、装置単体、すなわち光伝送装置１の内部に閉じて物理パラメータを調整する処理を行っていた。これに対して、第５実施形態では、対向する光伝送装置１ｅと、光伝送装置４との２台の光伝送装置によってパターン効果による監視制御信号の信号品質の劣化を抑制する物理パラメータの調整を行う。
【０１３４】
図２０は、第５実施形態における光伝送システム１００の構成を示すブロック図である。光伝送システム１００は、調整側の光伝送装置１ｅと、対向側の光伝送装置４と、光伝送装置１ｅと光伝送装置４とを接続する光ファイバ３１，３２とを備える。なお、第５実施形態においても、第１から第４実施形態と同一の構成については、同一の符号を付し、以下、異なる構成について説明する。
【０１３５】
調整側の光伝送装置１ｅは、監視制御部１０、監視制御信号重畳部１１、光送信部１２、設定情報記憶部１５、設定情報選択部１６、監視制御信号処理部１９、光受信部２０、パワーデバイダ２１、及びＬＰＦ(Low Pass Filter)２２を備える。光受信部２０は、光ファイバ３２に接続されており、対向側の光伝送装置４から送信される光信号を受信し、受信した光信号の周波数をダウンコンバートして復調し、電気的なアナログ信号を出力する。パワーデバイダ２１は、光受信部２０が出力するアナログ信号を予め定められる割合で分離し、一方をＬＰＦ２２に出力し、他方を受信信号として外部に出力する。ＬＰＦ２２は、アナログ信号に含まれる主信号と監視制御信号を分離し、低周波数帯域に存在する監視制御信号及び主信号のノイズ成分を含むアナログ信号を監視制御信号処理部１９に出力する。
【０１３６】
監視制御信号処理部１９は、図２１に示す内部構成を有しており、信号処理部１９１と、ＡＤＣ１９２とを備える。ＡＤＣ１９２は、ＬＰＦ２２が出力するアナログ信号をサンプリングしてアナログ波形をデジタル波形に変換し、変換したデジタル信号を出力する。
【０１３７】
信号処理部１９１は、ＡＤＣ１９２が出力する監視制御信号及び主信号のノイズ成分が重畳されたデジタル信号から主信号のノイズ成分を除去して監視制御信号を抽出する。また、信号処理部１９１は、抽出した監視制御信号から０と１の値の抽出及びフレーム解釈を行い監視制御信号に監視制御情報として含まれている選択指示情報を読み出す。また、信号処理部１９１は、読み出した選択指示情報を設定情報選択部１６に出力する。なお、信号処理部１９１は、デジタル信号処理により、これらの全ての処理を行ってもよいし、デジタル信号から監視制御信号を抽出する処理については、代替可能なアナログ回路により行い、残りの処理をデジタル信号処理により行うようにしてもよい。
【０１３８】
図２２は、対向側の光伝送装置４の構成を示すブロック図である。光伝送装置４は、光受信部２０、パワーデバイダ２１、ＬＰＦ２２、判定部１４、監視制御部４０、監視制御信号重畳部４１、及び光送信部４２を備える。監視制御部４０は、判定部１４が出力する選択指示情報を監視制御情報に含め、当該監視制御情報を含む監視制御信号を生成し、生成した監視制御信号を監視制御信号重畳部４１に出力する。監視制御信号重畳部４１は、外部から供給される主信号と監視制御信号とを物理的に重畳して駆動信号を生成し、生成した駆動信号を光送信部４２に出力する。光送信部４２は、駆動信号に基づいて光信号を変調し、変調した光信号を増幅し、増幅した光信号を光ファイバ３２を介して調整側の光伝送装置１ｅに送信する。なお、光送信部４２は、調整側の光伝送装置１ｅに光信号を送信することができるのであればどのような構成の機能部でもよく、調整側の光伝送装置１ｅの光送信部１２を適用してもよいし、光送信部１２以外の構成であってもよい。
【０１３９】
（第５実施形態おける物理パラメータの調整処理）
図２３は、光伝送システム１００における物理パラメータの調整処理を示すフローチャートである。図２３に示す処理では、第１の実施形態と同様に、監視制御信号の信号品質の劣化度合いを判定するため、監視制御部１０は、運用時に利用する監視制御情報ではなく、予め定められたテストパターンの監視制御情報を含む監視制御信号を生成して出力する。      
【０１４０】
なお、図２３に示す破線は、対向側の光伝送装置４が、調整側の光伝送装置１ｅに対して監視制御信号を送信する処理と、その後に調整側の光伝送装置１ｅによって行われる処理との関連を示す線である。
【０１４１】
対向側の光伝送装置４の判定部１４において処理が開始される。まず、判定部１４の演算部１４１は、設定情報の初期値を設定するため、変数「ｉ」に予め定められる初期値である「１」を代入して、レコード値「＃１」とし、「＃１」を含む選択指示情報を生成し、生成した選択指示情報を監視制御部４０に出力する（ステップＳｅ１）。
【０１４２】
監視制御部４０は、選択指示情報を監視制御情報として含む監視制御信号を生成し、生成した監視制御信号を監視制御信号重畳部４１に出力する（ステップＳｅ２）。監視制御信号重畳部４１は、外部から供給される主信号と監視制御信号とを物理的に重畳して駆動信号を生成し、生成した駆動信号を光送信部４２に出力する。光送信部４２は、駆動信号に基づいて光信号を変調し、変調した光信号を増幅し、増幅した光信号を光ファイバ３２を介して調整側の光伝送装置１ｅに送信する（ステップＳｅ３）。
【０１４３】
調整側の光伝送装置１ｅの光受信部２０は、光ファイバ３２を介して光信号を受信し、受信した光信号の周波数をダウンコンバートして復調し、電気的なアナログ信号を出力する（ステップＳｅ３０）。調整側の光伝送装置１ｅのパワーデバイダ２１は、アナログ信号を分離し、一方をＬＰＦ２２に出力し、他方を外部に出力する。
【０１４４】
ＬＰＦ２２は、アナログ信号の低周波数帯域を分離して監視制御信号処理部１９に出力する。監視制御信号処理部１９のＡＤＣ１９２は、サンプリングを行ってアナログ信号をデジタル信号に変換し、変換したデジタル信号を信号処理部１９１に出力する。信号処理部１９１は、ＡＤＣ１９２が出力するデジタル信号から監視制御信号を抽出し、抽出した監視制御信号から監視制御情報として含まれている選択指示情報を読み出し、読み出した選択指示情報を設定情報選択部１６に出力する。（ステップＳｅ３１）。
【０１４５】
設定情報選択部１６は、選択指示情報を受けて、選択指示情報に含まれるレコード値「＃ｉ」（最初は、初期値の「＃１」となる）に対応する設定情報を設定情報記憶部１５から読み出す（ステップＳｅ３２）。設定情報選択部１６は、読み出したレコード値に対応する設定情報に含まれる「ＩＤＦＢ」、「ＶＥＡ」、「ＩＳＯＡ」の各々の物理パラメータの値を光送信部１２の電力供給部１２３に出力する。
【０１４６】
設定情報選択部１６は、読み出したレコード値の設定情報に含まれる「ＭＩ」の物理パラメータと、固定値である主信号のピークピーク値、すなわちＶｐｐ，主信号とに基づいて、式（１）により、監視制御信号のピークピーク値であるＶｐｐ，監視制御信号を算出する。設定情報選択部１６は、算出したＶｐｐ，監視制御信号の値を監視制御部１０に出力する（ステップＳｅ３３）。
【０１４７】
光送信部１２の電力供給部１２３は、設定情報選択部１６が出力する物理パラメータの値を受けて、ＤＦＢレーザ１２０、ＥＡ光変調器１２１、半導体光増幅器１２２の各々に対して「ＩＤＦＢ」、「ＶＥＡ」、「ＩＳＯＡ」の物理パラメータの値に応じた電力を供給する。監視制御部１０は、設定情報選択部１６が出力するＶｐｐ，監視制御信号の値を受けて、Ｖｐｐ，監視制御信号をピークピーク値とし、テストパターンの監視制御情報を含む監視制御信号を生成して監視制御信号重畳部１１に出力する（ステップＳｅ３４）。
【０１４８】
監視制御信号重畳部１１は、主信号と監視制御信号とを物理的に重畳して駆動信号を生成し、生成した駆動信号を光送信部１２に出力する。光送信部１２において、ＤＦＢレーザ１２０は、電力供給部１２３から供給される「ＩＤＦＢ」の物理パラメータの値に対応する電力により光信号を生成して出力する。ＥＡ光変調器１２１は、電力供給部１２３から供給される「ＶＥＡ」の物理パラメータの値に対応する電力により、監視制御信号重畳部１１が出力する駆動信号に基づいて、ＤＦＢレーザ１２０が出力する光信号を強度変調する。半導体光増幅器１２２は、光ファイバ３１に接続されており、電力供給部１２３から供給される「ＩＳＯＡ」の物理パラメータの値に対応する電力によりＥＡ光変調器１２１によって変調された光信号を増幅して光ファイバ３１に出力する。
【０１４９】
対向側の光伝送装置４の処理に戻り、対向側の光伝送装置４の光受信部２０は、光ファイバ３１を介して光信号を受信する（ステップＳｅ４）。対向側の光伝送装置４の判定部１４の演算部１４１は、第１の実施形態の図７のステップＳａ４と同一の処理によりＢＥＲ１を測定する（ステップＳｅ５）。演算部１４１は、測定したＢＥＲ１をメモリ１４２に書き込んで記憶させる（ステップＳｅ６）。演算部１４１は、変数「ｉ」に「１」を加えた、次のレコード値である「＃２」を含む選択指示情報を生成し、生成した選択指示情報を監視制御部４０に出力する（ステップＳｅ１）、ステップＳｅ２〜Ｓｅ６の処理が行われる。このようにして、「＃１」〜「＃１８０」の１８０個全ての設定情報について、ステップＳｅ１〜Ｓｅ６の処理が繰り返し行われる（ループＬｅ１ｓ〜Ｌｅ１ｅ）。
【０１５０】
演算部１４１は、１８０個全ての設定情報についてＢＥＲｉ（ｉ＝１〜１８０）を測定してメモリ１４２に書き込んで記憶させた後、メモリ１４２に記憶されている１８０個全ての設定情報についてＢＥＲｉ（ｉ＝１〜１８０）の中から最も小さな値、すなわち最もビット誤り率が低いＢＥＲｍの「ｍ」の値を検出する（ステップＳｅ１０）。演算部１４１は、検出した「ｍ」に対応するレコード値である「＃ｍ」の値を含む選択指示情報を生成し、生成した選択指示情報を監視制御部４０に出力する（ステップＳｅ１１）。
【０１５１】
監視制御部４０は、「＃ｍ」の値を含む選択指示情報を監視制御情報として含む監視制御信号を生成し、生成した監視制御信号を監視制御信号重畳部４１に出力する（ステップＳｅ１２）。監視制御信号重畳部４１は、外部から供給される主信号と監視制御信号とを物理的に重畳して駆動信号を生成し、生成した駆動信号を光送信部４２に出力する。光送信部４２は、駆動信号に基づいて光信号を変調し、変調した光信号を増幅し、増幅した光信号を光ファイバ３２を介して調整側の光伝送装置１ｅに送信する（ステップＳｅ１３）。
【０１５２】
調整側の光伝送装置１ｅにおいて、ステップＳｅ３０からステップＳｅ３１の処理が行われ、設定情報選択部１６は、監視制御信号処理部１９の信号処理部１９１が出力する選択指示情報に含まれる「＃ｍ」の設定情報を設定情報記憶部１５から読み出し（ステップＳｅ３２）、読み出した設定情報に含まれる「ＩＤＦＢ」、「ＶＥＡ」、「ＩＳＯＡ」の物理パラメータの値を光送信部１２に出力し、「ＭＩ」の物理パラメータから算出したＶｐｐ，監視制御信号の値を監視制御部１０に出力する（ステップＳｅ３３）。
【０１５３】
監視制御部１０は、運用時に送信する監視制御情報を含む監視制御信号を、設定情報選択部１６が出力するＶｐｐ，監視制御信号で示されるピークピーク値となるように生成して出力する。光送信部１２は、設定情報選択部１６が出力する「ＩＤＦＢ」、「ＶＥＡ」、「ＩＳＯＡ」の電力に関する値で示される電力により、駆動信号を光信号に変換し、変換した光信号を増幅して光ファイバ３１に出力し、対向する他の光伝送装置４との初期接続を開始する（ステップＳｅ３４）。これにより、通常の運用が開始され、光伝送装置１ｅは、最も低いビット誤り率となる監視制御信号を含む光信号を光送信部１２より送信することができる。
【０１５４】
なお、上記の図２３に示すフローチャートでは、対向側の光伝送装置４が調整側の光伝送装置１ｅに監視制御信号を送信する処理や、調整側の光伝送装置１ｅが送信する光信号を対向側の光伝送装置４が受信する処理など２台の光伝送装置間の処理が含まれる。これら２台の光伝送装置間の処理を明確に示すため、図２３では、第１の実施形態の図７のフローチャートとステップごとの処理の区分が異なっているが、判定部１４が行っている処理は、第１の実施形態の判定部１４と同一の処理である。
【０１５５】
（第５実施形態おける他の物理パラメータの調整処理）
第５実施形態において、第１の実施形態の図９に示す判定部１４Ａを対向側の光伝送装置４の判定部１４と置き換えて適用し、第１の実施形態の図１０に示したフローチャートに相当する処理を行う場合、図２４に示すフローチャートの処理が行われることになる。なお、説明の便宜上、対向側の光伝送装置４において判定部１４が判定部１４Ａに置き換えられた構成を、以下、光伝送装置４Ｅといい、光伝送装置１ｅと、光伝送装置４Ｅとを備える光伝送システムを、以下、光伝送システム１００Ｅという。
【０１５６】
なお、図２４のフローチャートにおいて、調整側の光伝送装置１ｅの処理については、図２３に示す処理と同一の処理であり、対向側の光伝送装置４Ｅが、調整側の光伝送装置１ｅに対して監視制御信号を送信する処理と、その後に調整側の光伝送装置１ｅが行う処理との関連を破線により示している。
【０１５７】
また、図２４に示す処理においても図２３に示した処理と同様に、監視制御信号の信号品質の劣化度合いを判定するため、監視制御部１０は、運用時に利用する監視制御情報ではなく、予め定められたテストパターンの監視制御情報を含む監視制御信号を生成して出力する。
【０１５８】
対向側の光伝送装置４に備えられている判定部１４Ａの演算部１４１Ａは、設定情報の初期値を設定するため、変数「ｉ」に予め定められる初期値の「１」の値を代入する（ステップＳＥ１）。演算部１４１Ａは、「ｉ＝１」とされたレコード値「＃ｉ」を含む選択指示情報を生成し、監視制御部４０に出力する（ステップＳＥ２）。ステップＳＥ３，ＳＥ４，ＳＥ５，ＳＥ６は、それぞれ、図２３に示したステップＳｅ２，Ｓｅ３，Ｓｅ４，Ｓｅ５の処理に対応する処理である。ステップＳＥ３，ＳＥ４，ＳＥ５，ＳＥ６の各々において、設定情報選択部１６と、演算部１４１Ａと、監視制御部１０と、光送信部１２とによってステップＳｅ２，Ｓｅ３，Ｓｅ４，Ｓｅ５の処理が行われる。
【０１５９】
ステップＳＥ６の処理の後、対向側の光伝送装置４Ｅの判定部１４Ａの演算部１４１Ａは、測定したＢＥＲｉが予め定められる第１閾値より大きいか否かを判定する（ステップＳＥ７）。演算部１４１Ａは、測定したＢＥＲｉが第１閾値以下であると判定した場合（ステップＳＥ７、Ｎｏ）、演算部１４１Ａは、その時点での変数「ｉ」のレコード値「＃ｉ」を含む選択指示情報を生成し、生成した選択指示情報を監視制御部４０に出力する（ステップＳＥ１１）。
【０１６０】
監視制御部４０は、「＃ｉ」の値を含む選択指示情報を監視制御情報として含む監視制御信号を生成し、生成した監視制御信号を監視制御信号重畳部４１に出力する（ステップＳＥ１２）。監視制御信号重畳部４１は、外部から供給される主信号と監視制御信号とを物理的に重畳して駆動信号を生成し、生成した駆動信号を光送信部４２に出力する。光送信部４２は、駆動信号に基づいて光信号を変調し、変調した光信号を増幅し、増幅した光信号を光ファイバ３２を介して調整側の光伝送装置１ｅに送信する（ステップＳＥ１３）。
【０１６１】
調整側の光伝送装置１ｅが、ステップＳｅ３０からステップＳｅ３４の処理を行い、レコード値「＃ｉ」に対応する設定情報に含まれる物理パラメータに基づいて、監視制御部１０及び光送信部１２が処理を開始する。
【０１６２】
一方、演算部１４１Ａは、測定したＢＥＲｉが第１閾値より大きいと判定した場合（ステップＳＥ７、Ｙｅｓ）、次の設定情報を選択するため、変数「ｉ」に「ｉ＋１」の値を代入する（ステップＳＥ８）。
【０１６３】
演算部１４１Ａは、ｉ≦Ｎであるか否かを判定する（ステップＳＥ９）。なお、Ｎは、予め定められる設定情報の最大値の値であり、図６の設定情報テーブル１５０においては、Ｎ＝１８０となる。演算部１４１Ａは、ｉ≦Ｎであると判定した場合（ステップＳＥ９、Ｙｅｓ）、ステップＳＥ２からの処理を繰り返す。
【０１６４】
一方、演算部１４１Ａは、ｉ＞Ｎであると判定した場合（ステップＳＥ９、Ｎｏ）、初期値である「ｉ＝１」の設定情報を選択させるため、レコード値「＃１」の値を含む選択指示情報を生成し、生成した選択指示情報を監視制御部４０に出力する（ステップＳＥ１０）。
【０１６５】
対向側の光伝送装置４Ｅの監視制御部４０、監視制御信号重畳部４１、及び光送信部４２がステップＳＥ１２及びステップＳＥ１３の処理を行う。この処理により、レコード値が「＃１」となっている選択指示情報を含む監視制御信号と外部から供給される主信号とが重畳された光信号が光ファイバ３２を介して調整側の光伝送装置１ｅに送信される。
【０１６６】
調整側の光伝送装置１ｅが、ステップＳｅ３０からステップＳｅ３４の処理を行い、レコード値「＃１」に対応する設定情報に含まれる物理パラメータに基づいて、監視制御部１０及び光送信部１２が処理を開始する。
【０１６７】
なお、上記の図２４に示すフローチャートでは、対向側の光伝送装置４Ｅが調整側の光伝送装置１ｅに監視制御信号を送信する処理や、調整側の光伝送装置１ｅが送信する光信号を対向側の光伝送装置４Ｅが受信する処理など２台の光伝送装置間の処理が含まれる。これら２台の光伝送装置間の処理を明確に示すため、図２４では、第１の実施形態の図１０のフローチャートとステップごとの処理の区分が異なっているが、判定部１４Ａが行っている処理は、第１の実施形態の判定部１４Ａと同一の処理である。
【０１６８】
また、図２３及び図２４の処理の後、第１の実施形態と同様に、調整側の光伝送装置１ｅの監視制御部１０にテストパターンを含む監視制御信号の出力を停止させて、通常の監視制御情報を含む監視制御信号の出力を開始させる必要がある。そのため、例えば、対向側の光伝送装置４，４Ｅの判定部１４，１４Ａの演算部１４１，１４１Ａが、監視制御信号により、設定情報選択部１６を介して監視制御部１０に対して通常の運用が開始したことを通知する等の構成が適用される。
【０１６９】
（第５実施形態における第２の実施形態の構成の適用例）
図２５及び図２７は、それぞれ、第５実施形態の光伝送システム１００に対して第２の実施形態の構成を適用した場合の調整側の光伝送装置１ｆの構成と、対向側の光伝送装置４ｆの構成を示すブロック図である。なお、説明の便宜上、光伝送装置１ｆと、光伝送装置４ｆとを備える光伝送システムを、以下、光伝送システム１００ｆという。
【０１７０】
調整側の光伝送装置１ｆは、監視制御部１０、監視制御信号重畳部１１、光送信部１２、設定情報記憶部１５、設定情報選択部１６、テスト信号生成部１７、信号切替スイッチ１８、監視制御信号処理部１９ｆ、光受信部２０、パワーデバイダ２１、及びＬＰＦ２２を備える。監視制御信号処理部１９ｆは、図２６に示す内部構成を有しており、信号処理部１９１ｆと、ＡＤＣ１９２とを備える。信号処理部１９１ｆは、監視制御信号から設定情報選択部１６に出力する選択指示情報と、信号切替スイッチ１８に出力する切替指示情報とテスト信号生成部１７に出力するテスト信号生成指示情報とを読み出して、各々の情報に対応する機能部に読み出した情報を出力する。
【０１７１】
図２７に示す対向側の光伝送装置４ｆは、光受信部２０、パワーデバイダ２１、判定部１４ｂ、監視制御部４０、監視制御信号重畳部４１、及び光送信部４２を備える。図２２に示した対向側の光伝送装置４と異なり、ＬＰＦ２２を備えない理由は、判定部１４ｂでは、主信号のＢＥＲを測定するため、監視制御信号を分離する必要がないからである。
【０１７２】
光伝送システム１００ｆによる処理は、図２３に示したフローチャートにおいて、ループ処理Ｌｅ１ｓが開始される前に、第２の実施形態の図１３のステップＳｂ１の処理が加えられ、ステップＳｅ５及びＳｅ６の処理が、主信号のＢＥＲを測定してメモリ１４２に記憶させる図１３のステップＳｂ５及びＳｂ６の処理に置き換えられる。また、ステップＳｅ１３の後に、ステップＳｂ８の処理が加えられる。なお、追加されるステップＳｂ１及びＳｂ８の処理は、監視制御信号を介して、判定部１４ｂの演算部１４１ｂから監視制御信号処理部１９ｆの信号処理部１９１ｆに切替指示情報及びテスト信号生成指示情報が送信されることによって行われる。
【０１７３】
（第５実施形態における第３実施形態の構成の適用例）
図２８は、第５実施形態の光伝送システム１００に対して第３実施形態の構成を適用した場合の対向側の光伝送装置４ｇの構成を示すブロック図である。調整側の光伝送装置は、図２０に示した光伝送装置１ｅが適用される。なお、説明の便宜上、光伝送装置１ｅと、光伝送装置４ｇとを備える光伝送システムを、以下、光伝送システム１００ｇという。
【０１７４】
対向側の光伝送装置４ｇは、光受信部２０、光カプラ３０、モニタ用光受信部１３、判定部１４ｃ、監視制御部４０、監視制御信号重畳部４１、及び光送信部４２を備える。光カプラ３０は、調整側の光伝送装置１ｅの光送信部１２が送信し、光ファイバ３１によって伝送される光信号を分岐比９９：１で分岐し、９９％分を光受信部２０に出力し、１％分をモニタ用光受信部１３に出力する。
【０１７５】
光伝送システム１００ｇによる処理は、図２３に示したフローチャートにおいて、ループ処理Ｌｅ１ｓが開始される前に、図１５に示すステップＳｃ１の処理が加えられ、ステップＳｃ１の判定において「Ｎｏ」の場合、図１５と同様に処理を終了し、ステップＳｃ１の判定において「Ｙｅｓ」の場合、ループ処理Ｌｅ１ｓを開始する。
【０１７６】
また、図２３に示したフローチャートにおいてステップＳｅ５及びＳｅ６の処理が、受光パワーを算出してメモリ１４２に記憶させる図１５のステップＳｃ５及びＳｃ６の処理に置き換えられる。また、ステップＳｅ１０及びＳｅ１１の処理が、図１５のステップＳｃ７，Ｓｃ８，Ｓｃ９及びＳｃ１０の処理に置き換えられる。ステップＳｃ１０の後、ステップＳｅ１２及びＳｅ１３の処理が行われる。
【０１７７】
（第５実施形態における第３実施形態の他の構成の適用例）
図２７の対向側の光伝送装置４ｇにおいて、判定部１４ｃに替えて図１６に示す判定部１４Ｃを適用してもよい。対向側の光伝送装置４ｇにおいて判定部１４ｃが判定部１４Ｃに置き換えられた構成を、以下、光伝送装置４Ｇといい、調整側の光伝送装置１ｅと、対向側の光伝送装置４Ｇとを備えた光伝送システムを、以下、光伝送システム１００Ｇという。
【０１７８】
光伝送システム１００Ｇによる処理は、図２４に示したフローチャートにおいて、ステップＳＥ１の前に、演算部１４１Ｃが、算出した受光パワーが、予め定められる第３閾値より大きいか否かを判定し、算出した受光パワーが、第３閾値以下であると判定した場合、図１７と同様の処理を実行し、算出した受光パワーが、第３閾値より大きいと判定した場合、ステップＳＥ１以降の処理を開始する。
【０１７９】
また、図２４に示したフローチャートにおいてステップＳＥ６及びＳＥ７の処理が、受光パワーを算出して閾値判定を行う図１７のステップＳＣ６及びＳＣ７の処理に置き換えられる。また、ステップＳＥ１０の処理が、図１５のステップＳＣ１１の処理に置き換えられる。
【０１８０】
なお、第５実施形態の光伝送システム１００に対して第３実施形態の構成を適用する場合、受光パワーの測定において、光ファイバ３１及び光ファイバ３２による伝送距離に依存して生じる光損失を考慮する必要がある。そのため、図１５におけるステップＳｃ１及びＳｃ７（及び図１７におけるステップＳＣ７）の処理のように受光パワーと第３閾値とを単純に比較することができない。測定した受光パワーに光損失分を加算する処理を加えて、光損失分を加算した後の受光パワーと第３閾値とを比較するようにする必要がある。
【０１８１】
光損失量の見積りについては、様々な手法が存在し、例えば、ラウンドトリップタイムから伝送距離を算出することで、光損失量を推定することができる。具体的には、まずラウンドトリップタイムを計測し、計測したラウンドトリップタイムをＴＲＴＴ［マイクロ秒］とする。調整側の光伝送装置１ｅと対向側の光伝送装置４ｇ（及び光伝送装置４Ｇ）の内部における折り返し処理遅延をτ［マイクロ秒］とし、ＴＲＴＴからτを減算する。一般に知られている伝送遅延は、５［マイクロ秒／ｋｍ］であり、単位距離あたりの光減衰量は、例えば、１．５ミクロン帯を利用すると０．２［ｄＢ／ｋｍ］であるので、光損失量Ｌ［ｄＢ］は次式（２）によって算出することができる。
【０１８２】
Ｌ＝｛（ＴＲＴＴ−τ）／（２×５）｝×０．２・・・（２）
【０１８３】
式（２）における分母の「２」は、ラウンドトリップタイムでの往復分の遅延を片道分に換算するための値である。演算部１４１ｃ（及び演算部１４１Ｃ）が、測定した受光パワーと式（２）から算出したＬを加算することで、対向側の光伝送装置４ｇ（及び光伝送装置４Ｇ）において、調整側の光伝送装置１ｅの出力光パワーを推定することができる。これにより、ステップＳｃ１及びＳｃ７（及び図１７におけるステップＳＣ７）における閾値判定処理を行うことが可能となる。
【０１８４】
（第５実施形態における第４実施形態の構成の適用例）
図２９は、第５実施形態の光伝送システム１００に対して第４実施形態の構成を適用した場合の対向側の光伝送装置４ｈの構成を示すブロック図である。調整側の光伝送装置は、図２０に示した光伝送装置１ｅが適用される。なお、説明の便宜上、光伝送装置１ｅと、光伝送装置４ｈとを備える光伝送システムを、以下、光伝送システム１００ｈという。
【０１８５】
対向側の光伝送装置４ｆは、光受信部２０、パワーデバイダ２１、判定部１４ｄ、監視制御部４０、監視制御信号重畳部４１、及び光送信部４２を備える。図２２に示した対向側の光伝送装置４と異なり、ＬＰＦ２２を備えない理由は、判定部１４ｄでは、主信号のアイパターンを測定するため、監視制御信号を分離する必要がないからである。
【０１８６】
光伝送システム１００ｈによる処理は、図２４に示したフローチャートにおいて、ステップＳＥ６及びＳＥ７の処理が、主信号のアイパターンを測定してマスクテストを行う図１９のステップＳｄ５及びＳｄ６の処理に置き換えられる。
【０１８７】
なお、第２から第４実施形態の構成を適用した、光伝送システム１００ｆの調整側の光伝送装置１ｆ、及び光伝送システム１００ｇ，1００Ｇ，１００ｈにおける調整側の光伝送装置１ｅにおける監視制御部１０が出力する監視制御情報は、第２から第４実施形態と同様に、テストパターンでなく、運用時に送信する監視制御情報である。
【０１８８】
上記の第５実施形態の構成により、光伝送システム１００，１００Ｅは、調整側の光伝送装置１ｅと、対向側の光伝送装置４，４Ｅとを備えており、対向側の光伝送装置４，４Ｅにおいて、判定部１４，１４Ａは、光ファイバ３１を介して調整側の光伝送装置１ｅから受信する光信号の信号品質の１つである監視制御信号のビット誤り率に基づいて、光信号に含まれる監視制御信号の信号品質の劣化度合いの判定を行い、判定結果に応じた選択指示情報を出力する。監視制御部４０、監視制御信号重畳部４１、光送信部４２は、判定部１４，１４Ａが出力する選択指示情報を監視制御信号に含めて調整側の光伝送装置１ｅに送信する。調整側の光伝送装置１ｅにおいて、監視制御部１０は、監視制御信号を生成して出力する。監視制御信号重畳部１１は、外部から供給される主信号に監視制御信号を重畳して電気的な駆動信号を生成し、生成する駆動信号を出力する。光送信部１２は、ＤＦＢレーザ１２０と、ＥＡ光変調器１２１と、半導体光増幅器１２２とを有し、ＤＦＢレーザ１２０が出力する光信号を、駆動信号に基づいてＥＡ光変調器１２１が変調し、ＥＡ光変調器１２１が変調した光信号を、半導体光増幅器１２２が増幅して出力する。光受信部２０、パワーデバイダ２１、ＬＰＦ２２、監視制御信号処理部１９は、対向側の光伝送装置４から監視制御信号を受信し、受信した監視制御信号に含まれる選択指示情報を出力する。設定情報選択部１６は、出力される選択指示情報を受け、選択指示情報にしたがってＤＦＢレーザ１２０、もしくは、ＥＡ光変調器１２１、もしくは、半導体光増幅器１２２に与える電力に関する値、または、主信号と監視制御信号との重畳比率を選択する。これにより、光信号の信号品質の１つである監視制御信号のビット誤り率に基づいて、物理パラメータの調整を行い、半導体光増幅器１２２のパターン効果の影響を軽減して監視制御信号の信号品質の劣化を抑制することができる。
【０１８９】
同様に、光伝送システム１００ｆにおいては、光信号の信号品質の１つである主信号のビット誤り率に基づいて、光伝送システム１００ｇ，１００Ｇにおいては、光信号の信号品質の１つである光信号の受光パワーに基づいて、光伝送システム１００ｈにおいては、光信号の信号品質の１つである主信号のアイパターンに基づいて、物理パラメータの調整を行い、半導体光増幅器１２２のパターン効果の影響を軽減して監視制御信号の信号品質の劣化を抑制することができる。
【０１９０】
第１から第４実施形態のように、実際に伝送する前の光信号の信号品質に基づいて物理パラメータを選択する場合、予め光ファイバ３１の伝送路の状態を推定する必要があり、確実な通信のために伝送距離などを過剰に厳しい条件で想定する可能性がある。これに対して、第５実施形態では、伝送後の光信号の信号品質に基づいて物理パラメータを調整しており、実際の伝送路である光ファイバ３１を伝送させた後の光信号に基づいて物理パラメータを決定するため、過剰に厳しい想定で調整を行う必要がない。したがって、第１から第４実施形態の構成に比べて、実際のシステム構成に即した物理パラメータを選定することが可能になる。
【０１９１】
なお、上記の第５実施形態において、調整側の光伝送装置１ｅ，１ｆ、及び対向側の光伝送装置４，４Ｅに適用されるＬＰＦ２２は、例えば、監視制御信号が５００ｋＨｚ等の特定の搬送波周波数にアップコンバートされている場合、当該周波数帯域を通過させるＢＰＦ（Band Path Filter）を適用してもよい。
【０１９２】
また、上記の第５実施形態において、例えば、光伝送システム１００において、対向側の光伝送装置４は、判定部１４が出力する選択指示情報を監視制御情報として、光信号として送信しているが、当該実施の形態に限られるものではない。例えば、対向側の光伝送装置４が、有線または無線の通信で送信する送信部を備えており、判定部１４が出力した選択指示情報を送信部に出力し、当該送信部が有線または無線の通信で調整側の光伝送装置１ｅに送信する。調整側の光伝送装置１ｅは、有線または無線の通信を受信する受信部を備えており、当該受信部が対向側の光伝送装置４から選択指示情報を受信して設定情報選択部１６に出力するようにしてもよい。また、概念的には、対向側の光伝送装置４における監視制御部４０、監視制御信号重畳部４１、及び光送信部４２をまとめて光信号を送信する送信部とみなすということもでき、調整側の光伝送装置１ｅにおける光受信部２０、パワーデバイダ２１、ＬＰＦ２２、監視制御信号処理部１９をまとめて光信号を受信する受信部とみなすということもできる。すなわち、対向側の光伝送装置４から調整側の光伝送装置１ｅに対して、何らかの通信手段により選択指示情報を送信することができるのであれば、どのような構成であってもよい。光伝送システム１００Ｅ，１００ｆ，１００ｇ，１００Ｇ，１００ｈにおいても同様に、対向側の光伝送装置４Ｅ，４ｆ、４ｇ，４Ｇ、４ｈが当該送信部を備え、調整側の光伝送装置１ｆが当該受信部を備えているとみなすということもできる。
【０１９３】
なお、上記の第１の実施形態と第２の実施形態について、第１及び第２の実施形態の構成を組み合わせて、主信号のテスト信号のＢＥＲと、監視制御信号のＢＥＲの双方を測定するようにしてもよい。この場合、主信号のテスト信号のＢＥＲの閾値と、監視制御信号のＢＥＲの閾値をそれぞれ定めておき、両信号のＢＥＲが各々の閾値以下となるように設定情報を選択することになる。
【０１９４】
また、第１から第４実施形態の構成を、矛盾しない範囲で任意に組み合わせてもよく、第５実施形態の構成において、第１から第４実施形態の構成のうち２つ以上の構成を組み合わせて適用するようにしてもよい。
【０１９５】
また、上記の第１から第５実施形態の構成において、監視制御部１０が生成する監視制御信号は、５００ｋＨｚの搬送波であって変調方式がＡＳＫの信号としているが、当該実施の形態に限られるものではない。５００ｋＨｚ以外の搬送波であってもよいし、ＡＳＫ以外の変調方式が適用されていてもよい。
【０１９６】
また、上記の第１から第５実施形態において適用されている光カプラ３０は、９９：１の分岐比に限られるものではなく、実施可能な範囲で任意の分岐比が定められるようにしてもよい。
【０１９７】
また、上記の第１から第５実施形態では、光送信部１２が、ＤＦＢレーザ１２０、及びＥＡ光変調器１２１を備えるようにしているが、当該実施の形態に限られるものではない。レーザの種類は、ＤＦＢのものに限られるものではなく、ＤＦＢレーザ以外のレーザを適用してもよい。また、光変調器の種類も、ＥＡに限られるものではなく、ＥＡ光変調器以外の光変調器を適用してもよい。
【０１９８】
また、上記の第１から第５実施形態の設定情報記憶部１５は、１８０個の設定情報を予め記憶しているが、１８０個に限られるものではなく、１８０個を超える個数であってもよく、１８０個未満の個数であってもよい。例えば、光送信部１２のＤＦＢレーザ１２０、ＥＡ光変調器１２１、半導体光増幅器１２２等のデバイス間の個体差が少ない場合や、使用する物理パラメータが事前に予見される場合、範囲を絞って設定情報のレコード数を減らすようにしてもよい。
【０１９９】
また、上記の第１から第５実施形態において、設定情報記憶部１５の設定情報テーブル１５０に「ＩＤＦＢ」のＤＦＢレーザバイアス電流値と、「ＶＥＡ」のＥＡ光変調器バイアス電圧値と、「ＩＳＯＡ」のＳＯＡバイアス電流値とを予め記憶させるようにしているが、これらの電流値や電圧値は、一例であり、当該実施の形態に限られるものではない。電流値を電圧値で表してもよく、また逆に、電圧値を電流値で表してもよく、また、ＤＦＢレーザ１２０、ＥＡ光変調器１２１、半導体光増幅器１２２に供給する電力を示す電力に関する値であれば、電流値、電圧値に限られず、どのような単位の値を予め記憶させるようにしてもよい。
【０２００】
また、図１０のステップＳＡ６、図１５のステップＳｃ１，Ｓｃ７、図１７のステップＳＣ７、図２４のステップＳＥ７に示した閾値判定処理では、判定対象の値が、閾値より大きいか否かを判定している。しかしながら、当該実施の形態に限られるものではなく、「超過するか否か」、「未満であるか否か」という判定処理は一例に過ぎず、閾値の定め方に応じて、ぞれぞれ「以上であるか否か」、「以下であるか否かを」判定するようにしてもよい。すなわち、上記の閾値判定処理については、判定対象の値が、閾値以上であるか否かを判定するようにしてもよい。
【０２０１】
第１から第５実施形態において適用される判定部１４，１４Ａ，１４ｂ，１４ｃ，１４Ｃ，１４ｄは、コンピュータとプログラムによっても実現でき、プログラムを記録媒体に記録することも、ネットワークを通して提供することも可能である。換言すると、上述した各実施形態における判定部１４，１４Ａ，１４ｂ，１４ｃ，１４Ｃ，１４ｄの構成、または、当該構成に更に設定情報記憶部１５、及び設定情報選択部１６を加えた構成をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【０２０２】
以上、この発明の実施形態について図面を参照して詳述してきたが、具体的な構成はこの実施形態に限られるものではなく、この発明の要旨を逸脱しない範囲の設計等も含まれる。換言すれば、この発明のスコープ内で当業者が理解しうる様々な変更がなされた構成を含むものである。
【符号の説明】
【０２０３】
１…光伝送装置，１０…監視制御部，１１…監視制御信号重畳部，１２…光送信部，１３…モニタ用光受信部，１４…判定部，１５…設定情報記憶部，１６…設定情報選択部，３０…光カプラ，３１，３１−１…光ファイバ
【図１】
2019009656.tif 000003
【図２】
2019009656.tif 000004
【図３】
2019009656.tif 000005
【図４】
2019009656.tif 000006
【図５】
2019009656.tif 000007
【図６】
2019009656.tif 000008
【図７】
2019009656.tif 000009
【図８】
2019009656.tif 000010
【図９】
2019009656.tif 000011
【図１０】
2019009656.tif 000012
【図１１】
2019009656.tif 000013
【図１２】
2019009656.tif 000014
【図１３】
2019009656.tif 000015
【図１４】
2019009656.tif 000016
【図１５】
2019009656.tif 000017
【図１６】
2019009656.tif 000018
【図１７】
2019009656.tif 000019
【図１８】
2019009656.tif 000020
【図１９】
2019009656.tif 000021
【図２０】
2019009656.tif 000022
【図２１】
2019009656.tif 000023
【図２２】
2019009656.tif 000024
【図２３】
2019009656.tif 000025
【図２４】
2019009656.tif 000026
【図２５】
2019009656.tif 000027
【図２６】
2019009656.tif 000028
【図２７】
2019009656.tif 000029
【図２８】
2019009656.tif 000030
【図２９】
2019009656.tif 000031